(57)【要約】【課題】受信局が本当に干渉を受けているかどうかを送信局が正確に判断することが可能な、通信装置を提供する。【解決手段】セルラー方式の通信処理を制御する通信制御部を備え、前記通信制御部は、基地局から設定された方向の情報に基づき複数の受信ビームを設定し、前記受信ビームごとに受信電力を測定し、該測定の結果を前記基地局に報告する、通信装置が提供される。【選択図】図１
2019031190.tif 000002
【特許請求の範囲】
【請求項１】
セルラー方式の通信処理を制御する通信制御部を備え、
前記通信制御部は、
基地局から設定された方向の情報に基づき複数の受信ビームを設定し、前記受信ビームごとに受信電力を測定し、該測定の結果を前記基地局に報告する、通信装置。
【請求項２】
前記通信制御部は、前記基地局から設定された区間において前記受信電力の測定を行う、請求項１に記載の通信装置。
【請求項３】
前記通信制御部は、前記受信電力の測定の結果として、前記受信ビームごとのヒストグラムを報告する、請求項１に記載の通信装置。
【請求項４】
前記通信制御部は、前記受信ビームごとのヒストグラムとして、前記受信電力が所定の閾値を超えた回数のヒストグラムを報告する、請求項３に記載の通信装置。
【請求項５】
前記通信制御部は、周期的に前記受信電力の測定の結果を前記基地局に報告する、請求項１に記載の通信装置。
【請求項６】
前記通信制御部は、所定の条件を満たした場合に前記受信電力の測定の結果を前記基地局に報告する、請求項１に記載の通信装置。
【請求項７】
前記通信制御部は、前記基地局からの指示があった場合に前記受信電力の測定の結果を前記基地局に報告する、請求項１に記載の通信装置。
【請求項８】
前記通信制御部は、自装置のケイパビリティを前記受信電力の測定に先立ち前記基地局に報告する、請求項１に記載の通信装置。
【請求項９】
前記通信制御部は、前記自装置のケイパビリティとしてアンテナ本数、アンテナの形状、メインビームのローブ幅、ビームが振れる方向、構成可能な最大ビーム数、三次元方向へのビームの移動の可否の中の少なくともいずれかを報告する、請求項８に記載の通信装置。
【請求項１０】
セルラー方式の通信処理を制御する通信制御部を備え、
前記通信制御部は、
端末装置から取得したケイパビリティ情報に基づき前記端末装置に複数の受信ビームを設定し、前記受信ビームごとに前記端末装置で測定された受信電力の情報を取得する、通信装置。
【請求項１１】
前記通信制御部は、取得した前記受信電力の情報に基づき、前記端末装置へのビームの方向を制御する、請求項１０に記載の通信装置。
【請求項１２】
前記通信制御部は、取得した前記受信電力の情報に基づき、前記端末装置へのビームの方向の情報を他の通信装置へ送信する、請求項１０に記載の通信装置。
【請求項１３】
前記通信制御部は、前記端末装置のケイパビリティとしてアンテナ本数、アンテナの形状、メインビームのローブ幅、ビームが振れる方向、構成可能な最大ビーム数、三次元方向へのビームの移動の可否の中の少なくともいずれかを取得する、請求項１０に記載の通信装置。
【請求項１４】
プロセッサが、セルラー方式の通信処理を制御することを含み、
前記プロセッサは、
基地局から設定された方向の情報に基づき複数の受信ビームを設定し、前記受信ビームごとに受信電力を測定し、該測定の結果を前記基地局に報告する、通信制御方法。
【請求項１５】
プロセッサが、セルラー方式の通信処理を制御することを含み、
前記プロセッサは、
端末装置から取得したケイパビリティ情報に基づき前記端末装置に複数の受信ビームを設定し、前記受信ビームごとに前記端末装置で測定された受信電力の情報を取得する、通信制御方法。
【請求項１６】
コンピュータに、セルラー方式の通信処理を制御することを実行させ、
基地局から設定された方向の情報に基づき複数の受信ビームを設定し、前記受信ビームごとに受信電力を測定し、該測定の結果を前記基地局に報告する、コンピュータプログラム。
【請求項１７】
コンピュータに、セルラー方式の通信処理を制御することを実行させ、
端末装置から取得したケイパビリティ情報に基づき前記端末装置に複数の受信ビームを設定し、前記受信ビームごとに前記端末装置で測定された受信電力の情報を取得する、コンピュータプログラム。
【発明の詳細な説明】
【技術分野】
【０００１】
本開示は、通信装置、通信制御方法及びコンピュータプログラムに関する。
【背景技術】
【０００２】
セルラー移動通信の無線アクセス方式および無線ネットワーク（以下、「Long  Term  Evolution（LTE）」、「LTE-Advanced（LTE-A）」、「LTE-Advanced  Pro（LTE-A  Pro）」、「New  Radio（NR）」、「New  Radio  Access  Technology（NRAT）」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、およびEUTRAを含み、ＮＲは、NRAT、およびFEUTRAを含む。ＬＴＥおよびＮＲでは、基地局装置（基地局）はｅＮｏｄｅＢ（evolved  NodeB）、端末装置（移動局、移動局装置、端末）はＵＥ（User  Equipment）とも称する。ただし、基地局装置は、ｇＮｏｄｅＢ又はｇＮＢとも称される場合がある。ＬＴＥおよびＮＲは、基地局装置がカバーするエリアをセル状に複数配置するセルラー通信システムである。単一の基地局装置は複数のセルを管理してもよい。【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）およびＵＲＬＬＣ（Ultra  reliable  and  low  latency  communications）を含む様々なユースケースに対応できるアクセス技術である。ＮＲは、それらのユースケースにおける利用シナリオ、要求条件、および配置シナリオなどに対応する技術フレームワークを目指して検討される。ＮＲのシナリオや要求条件の詳細は、非特許文献１に開示されている。
【先行技術文献】
【非特許文献】
【０００４】
【非特許文献１】3rd  Generation  Partnership  Project;  Technical  Specification  Group  Radio  Access  Network;  Study  on  Scenarios  and  Requirements  for  Next  Generation  Access  Technologies;  (Release  14),  3GPP  TR  38.913  V14.2.0  (2017-03).<http://www.3gpp.org/ftp/Specs/archive/38_series/38.913/38913-030.zip>
【発明の概要】
【発明が解決しようとする課題】
【０００５】
現状の無線通信システムでは、送信局と受信局との間で通信品質の測定が行われるが、現状の無線通信システムでの通信品質の測定は全方位から受信電力を測定するだけであり、どの方向からどの程度の強さの電波を受信しているかを測定出来ず、結果的に受信局が本当に干渉を受けているかどうかを送信局が正確に判断できない。【０００６】
そこで、本開示では、受信局が本当に干渉を受けているかどうかを送信局が正確に判断することが可能な、新規かつ改良された通信装置、通信制御方法及びコンピュータプログラムを提案する。
【課題を解決するための手段】
【０００７】
本開示によれば、セルラー方式の通信処理を制御する通信制御部を備え、前記通信制御部は、基地局から設定された方向の情報に基づき複数の受信ビームを設定し、前記受信ビームごとに受信電力を測定し、該測定の結果を前記基地局に報告する、通信装置が提供される。【０００８】
また本開示によれば、セルラー方式の通信処理を制御する通信制御部を備え、前記通信制御部は、端末装置から取得したケイパビリティ情報に基づき前記端末装置に複数の受信ビームを設定し、前記受信ビームごとに前記端末装置で測定された受信電力の情報を取得する、通信装置が提供される。【０００９】
また本開示によれば、プロセッサが、セルラー方式の通信処理を制御することを含み、前記プロセッサは、基地局から設定された方向の情報に基づき複数の受信ビームを設定し、前記受信ビームごとに受信電力を測定し、該測定の結果を前記基地局に報告する、通信制御方法が提供される。【００１０】
また本開示によれば、プロセッサが、セルラー方式の通信処理を制御することを含み、前記プロセッサは、端末装置から取得したケイパビリティ情報に基づき前記端末装置に複数の受信ビームを設定し、前記受信ビームごとに前記端末装置で測定された受信電力の情報を取得する、通信制御方法が提供される。【００１１】
また本開示によれば、コンピュータに、セルラー方式の通信処理を制御することを実行させ、基地局から設定された方向の情報に基づき複数の受信ビームを設定し、前記受信ビームごとに受信電力を測定し、該測定の結果を前記基地局に報告する、コンピュータプログラムが提供される。【００１２】
また本開示によれば、コンピュータに、セルラー方式の通信処理を制御することを実行させ、端末装置から取得したケイパビリティ情報に基づき前記端末装置に複数の受信ビームを設定し、前記受信ビームごとに前記端末装置で測定された受信電力の情報を取得する、コンピュータプログラムが提供される。
【発明の効果】
【００１３】
以上説明したように本開示によれば、受信局が本当に干渉を受けているかどうかを送信局が正確に判断することが可能な、新規かつ改良された通信装置、通信制御方法及びコンピュータプログラムを提供することが出来る。【００１４】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１５】
【図１】本実施形態におけるコンポーネントキャリアの設定の一例を示す図である。
【図２】本実施形態におけるコンポーネントキャリアの設定の一例を示す図である。
【図３】本実施形態におけるＬＴＥの下りリンクサブフレームの一例を示す図である。
【図４】本実施形態におけるＬＴＥの上りリンクサブフレームの一例を示す図である。
【図５】ＮＲセルにおける送信信号に関するパラメータセットの一例を示す図である。
【図６】本実施形態におけるＮＲの下りリンクサブフレームの一例を示す図である。
【図７】本実施形態におけるＮＲの上りリンクサブフレームの一例を示す図である。
【図８】本実施形態の基地局装置の構成を示す概略ブロック図である。
【図９】本実施形態の端末装置の構成を示す概略ブロック図である。
【図１０】本実施形態における自己完結型送信のフレーム構成の一例を示す図である。
【図１１】本実施形態におけるデジタルアンテナ構成の一例を示す概略ブロック図である。
【図１２】本実施形態におけるアナログアンテナ構成の一例を示す概略ブロック図である。
【図１３】本実施形態における単一ビーム運用の一例を説明するための図である。
【図１４】本実施形態における複数ビーム運用の一例を説明するための図である。
【図１５】基地局装置が端末装置を検出可能なセンシング領域と、そのセンシング領域に存在する端末装置が受信するビームとを示す説明図である。
【図１６】基地局装置が端末装置を検出可能なセンシング領域と、そのセンシング領域に存在する端末装置が受信するビームとを示す説明図である。
【図１７】端末装置２が報告する方向に関する情報について示す説明図である。
【図１８】端末装置２が報告する方向に関する情報について示す説明図である。
【図１９】端末装置２が測定した方向毎の平均電力の情報の例を示す説明図である。
【図２０】測定区間のうちの所定の区間における受信電力（ＲＳＳＩ）が閾値よりも上回った回数を方向毎に算出した例を示す説明図である。
【図２１】本開示の実施の形態に係る基地局装置１及び端末装置２の動作例をシーケンス図で示す説明図である。
【図２２】本開示の実施の形態に係る基地局装置１及び端末装置２の動作例をシーケンス図で示す説明図である。
【図２３】本開示の実施の形態に係る基地局装置１及び端末装置２の動作例をシーケンス図で示す説明図である。
【図２４】ｅＮＢの概略的な構成の第１の例を示すブロック図である。
【図２５】ｅＮＢの概略的な構成の第２の例を示すブロック図である。
【図２６】スマートフォンの概略的な構成の一例を示すブロック図である。
【図２７】カーナビゲーション装置の概略的な構成の一例を示すブロック図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
なお、説明は以下の順序で行うものとする。
１．はじめに
２．技術的特徴
３．応用例
４．まとめ
【００１８】
＜＜１．はじめに＞＞
＜本実施形態における無線通信システム＞
本実施形態において、無線通信システムは、基地局装置１および端末装置２を少なくとも具備する。基地局装置１は複数の端末装置を収容できる。基地局装置１は、他の基地局装置とＸ２インタフェースの手段によって互いに接続できる。また、基地局装置１は、Ｓ１インタフェースの手段によってＥＰＣ（Evolved  Packet  Core）に接続できる。さらに、基地局装置１は、Ｓ１−ＭＭＥインタフェースの手段によってＭＭＥ（Mobility  Management  Entity）に接続でき、Ｓ１−Ｕインタフェースの手段によってＳ−ＧＷ（Serving  Gateway）に接続できる。Ｓ１インタフェースは、ＭＭＥおよび／またはＳ−ＧＷと基地局装置１との間で、多対多の接続をサポートしている。また、本実施形態において、基地局装置１および端末装置２は、それぞれＬＴＥおよび／またはＮＲをサポートする。
【００１９】
＜本実施形態における無線アクセス技術＞
本実施形態において、基地局装置１および端末装置２は、それぞれ１つ以上の無線アクセス技術（ＲＡＴ）をサポートする。例えば、ＲＡＴは、ＬＴＥおよびＮＲを含む。１つのＲＡＴは、１つのセル（コンポーネントキャリア）に対応する。すなわち、複数のＲＡＴがサポートされる場合、それらのＲＡＴは、それぞれ異なるセルに対応する。本実施形態において、セルは、下りリンクリソース、上りリンクリソース、および／または、サイドリンクの組み合わせである。また、以下の説明において、ＬＴＥに対応するセルはＬＴＥセルと呼称され、ＮＲに対応するセルはＮＲセルと呼称される。
【００２０】
下りリンクの通信は、基地局装置１から端末装置２に対する通信である。下りリンク送信は、基地局装置１から端末装置２に対する送信であり、下りリンク物理チャネルおよび／または下りリンク物理信号の送信である。上りリンクの通信は、端末装置２から基地局装置１に対する通信である。上りリンク送信は、端末装置２から基地局装置１に対する送信であり、上りリンク物理チャネルおよび／または上りリンク物理信号の送信である。サイドリンクの通信は、端末装置２から別の端末装置２に対する通信である。サイドリンク送信は、端末装置２から別の端末装置２に対する送信であり、サイドリンク物理チャネルおよび／またはサイドリンク物理信号の送信である。
【００２１】
サイドリンクの通信は、端末装置間の近接直接検出および近接直接通信のために定義される。サイドリンクの通信は、上りリンクおよび下りリンクと同様なフレーム構成を用いることができる。また、サイドリンクの通信は、上りリンクリソースおよび／または下りリンクリソースの一部（サブセット）に制限されうる。
【００２２】
基地局装置１および端末装置２は、下りリンク、上りリンクおよび／またはサイドリンクにおいて、１つ以上のセルの集合を用いる通信をサポートできる。複数のセルの集合または複数のセルの集合による通信は、キャリアアグリゲーションまたはデュアルコネクティビティとも呼称される。キャリアアグリゲーションとデュアルコネクティビティの詳細は後述される。また、それぞれのセルは、所定の周波数帯域幅を用いる。所定の周波数帯域幅における最大値、最小値および設定可能な値は、予め規定できる。
【００２３】
図１は、本実施形態におけるコンポーネントキャリアの設定の一例を示す図である。図１の例では、１つのＬＴＥセルと２つのＮＲセルが設定される。１つのＬＴＥセルは、プライマリーセルとして設定される。２つのＮＲセルは、それぞれプライマリーセカンダリーセルおよびセカンダリーセルとして設定される。２つのＮＲセルは、キャリアアグリゲーションにより統合される。また、ＬＴＥセルとＮＲセルは、デュアルコネクティビティにより統合される。なお、ＬＴＥセルとＮＲセルは、キャリアアグリゲーションにより統合されてもよい。図１の例では、ＮＲは、プライマリーセルであるＬＴＥセルにより接続をアシストされることが可能であるため、スタンドアロンで通信するための機能のような一部の機能をサポートしなくてもよい。スタンドアロンで通信するための機能は、初期接続に必要な機能を含む。
【００２４】
図２は、本実施形態におけるコンポーネントキャリアの設定の一例を示す図である。図２の例では、２つのＮＲセルが設定される。２つのＮＲセルは、それぞれプライマリーセルおよびセカンダリーセルとして設定され、キャリアアグリゲーションにより統合される。この場合、ＮＲセルがスタンドアロンで通信するための機能をサポートすることにより、ＬＴＥセルのアシストが不要になる。なお、２つのＮＲセルは、デュアルコネクティビティにより統合されてもよい。
【００２５】
＜本実施形態における無線フレーム構成＞
本実施形態において、１０ｍｓ（ミリ秒）で構成される無線フレーム（radio  frame）が規定される。無線フレームのそれぞれは２つのハーフフレームから構成される。ハーフフレームの時間間隔は、５ｍｓである。ハーフフレームのそれぞれは、５つのサブフレームから構成される。サブフレームの時間間隔は、１ｍｓであり、２つの連続するスロットによって定義される。スロットの時間間隔は、０．５ｍｓである。無線フレーム内のｉ番目のサブフレームは、（２×ｉ）番目のスロットと（２×ｉ＋１）番目のスロットとから構成される。つまり、無線フレームのそれぞれにおいて、１０個のサブフレームが規定される。
【００２６】
サブフレームは、下りリンクサブフレーム、上りリンクサブフレーム、スペシャルサブフレームおよびサイドリンクサブフレームなどを含む。
【００２７】
下りリンクサブフレームは下りリンク送信のために予約されるサブフレームである。上りリンクサブフレームは上りリンク送信のために予約されるサブフレームである。スペシャルサブフレームは３つのフィールドから構成される。３つのフィールドは、ＤｗＰＴＳ（Downlink  Pilot  Time  Slot）、ＧＰ（Guard  Period）、およびＵｐＰＴＳ（Uplink  Pilot  Time  Slot）を含む。ＤｗＰＴＳ、ＧＰ、およびＵｐＰＴＳの合計の長さは１ｍｓである。ＤｗＰＴＳは下りリンク送信のために予約されるフィールドである。ＵｐＰＴＳは上りリンク送信のために予約されるフィールドである。ＧＰは下りリンク送信および上りリンク送信が行われないフィールドである。なお、スペシャルサブフレームは、ＤｗＰＴＳおよびＧＰのみによって構成されてもよいし、ＧＰおよびＵｐＰＴＳのみによって構成されてもよい。スペシャルサブフレームは、ＴＤＤにおいて下りリンクサブフレームと上りリンクサブフレームとの間に配置され、下りリンクサブフレームから上りリンクサブフレームに切り替えるために用いられる。サイドリンクサブフレームは、サイドリンク通信のために予約または設定されるサブフレームである。サイドリンクは、端末装置間の近接直接通信および近接直接検出のために用いられる。
【００２８】
単一の無線フレームは、下りリンクサブフレーム、上りリンクサブフレーム、スペシャルサブフレームおよび／またはサイドリンクサブフレームから構成される。また、単一の無線フレームは、下りリンクサブフレーム、上りリンクサブフレーム、スペシャルサブフレームまたはサイドリンクサブフレームのみで構成されてもよい。
【００２９】
複数の無線フレーム構成がサポートされる。無線フレーム構成は、フレーム構成タイプで規定される。フレーム構成タイプ１は、ＦＤＤのみに適用できる。フレーム構成タイプ２は、ＴＤＤのみに適用できる。フレーム構成タイプ３は、ＬＡＡ（Licensed  Assisted  Access）セカンダリーセルの運用のみに適用できる。
【００３０】
フレーム構成タイプ２において、複数の上りリンク−下りリンク構成が規定される。上りリンク−下りリンク構成において、１つの無線フレームにおける１０のサブフレームのそれぞれは、下りリンクサブフレーム、上りリンクサブフレーム、およびスペシャルサブフレームのいずれかに対応する。サブフレーム０、サブフレーム５およびＤｗＰＴＳは常に下りリンク送信のために予約される。ＵｐＰＴＳおよびそのスペシャルサブフレームの直後のサブフレームは常に上りリンク送信のために予約される。
【００３１】
フレーム構成タイプ３において、１つの無線フレーム内の１０のサブフレームが下りリンク送信のために予約される。端末装置２は、ＰＤＳＣＨまたは検出信号が送信されないサブフレームを空のサブフレームとして扱うことができる。端末装置２は、所定の信号、チャネルおよび／または下りリンク送信があるサブフレームで検出されない限り、そのサブフレームにいかなる信号および／またはチャネルも存在しないと想定する。下りリンク送信は、１つまたは複数の連続したサブフレームで専有される。その下りリンク送信の最初のサブフレームは、そのサブフレーム内のどこからでも開始されてもよい。その下りリンク送信の最後のサブフレームは、完全に専有されるか、ＤｗＰＴＳで規定される時間間隔で専有されるか、のいずれかであってもよい。
【００３２】
なお、フレーム構成タイプ３において、１つの無線フレーム内の１０のサブフレームが上りリンク送信のために予約されてもよい。また、１つの無線フレーム内の１０のサブフレームのそれぞれが、下りリンクサブフレーム、上りリンクサブフレーム、スペシャルサブフレームおよびサイドリンクサブフレームのいずれかに対応するようにしてもよい。
【００３３】
基地局装置１は、スペシャルサブフレームのＤｗＰＴＳにおいて、下りリンク物理チャネルおよび下りリンク物理信号を送信してもよい。基地局装置１は、スペシャルサブフレームのＤｗＰＴＳにおいて、ＰＢＣＨの送信を制限できる。端末装置２は、スペシャルサブフレームのＵｐＰＴＳにおいて、上りリンク物理チャネルおよび上りリンク物理信号を送信してもよい。端末装置２は、スペシャルサブフレームのＵｐＰＴＳにおいて、一部の上りリンク物理チャネルおよび上りリンク物理信号の送信を制限できる。
【００３４】
なお、１つの送信における時間間隔はＴＴＩ（Transmission  Time  Interval）と呼称され、ＬＴＥにおいて、１ｍｓ（１サブフレーム）を１ＴＴＩと定義される。
【００３５】
＜本実施形態におけるＬＴＥのフレーム構成＞
図３は、本実施形態におけるＬＴＥの下りリンクサブフレームの一例を示す図である。図３に示される図は、ＬＴＥの下りリンクリソースグリッドとも呼称される。基地局装置１は、端末装置２への下りリンクサブフレームにおいて、ＬＴＥの下りリンク物理チャネルおよび／またはＬＴＥの下りリンク物理信号を送信できる。端末装置２は、基地局装置１からの下りリンクサブフレームにおいて、ＬＴＥの下りリンク物理チャネルおよび／またはＬＴＥの下りリンク物理信号を受信できる。
【００３６】
図４は、本実施形態におけるＬＴＥの上りリンクサブフレームの一例を示す図である。図４に示される図は、ＬＴＥの上りリンクリソースグリッドとも呼称される。端末装置２は、基地局装置１への上りリンクサブフレームにおいて、ＬＴＥの上りリンク物理チャネルおよび／またはＬＴＥの上りリンク物理信号を送信できる。基地局装置１は、端末装置２からの上りリンクサブフレームにおいて、ＬＴＥの上りリンク物理チャネルおよび／またはＬＴＥの上りリンク物理信号を受信できる。
【００３７】
本実施形態において、ＬＴＥの物理リソースは以下のように定義されうる。１つのスロットは複数のシンボルによって定義される。スロットのそれぞれにおいて送信される物理信号または物理チャネルは、リソースグリッドによって表現される。下りリンクにおいて、リソースグリッドは、周波数方向に対する複数のサブキャリアと、時間方向に対する複数のＯＦＤＭシンボルによって定義される。上りリンクにおいて、リソースグリッドは、周波数方向に対する複数のサブキャリアと、時間方向に対する複数のＳＣ−ＦＤＭＡシンボルによって定義される。サブキャリアまたはリソースブロックの数は、セルの帯域幅に依存して決まるようにしてもよい。１つのスロットにおけるシンボルの数は、ＣＰ（Cyclic  Prefix）のタイプによって決まる。ＣＰのタイプは、ノーマルＣＰまたは拡張ＣＰである。ノーマルＣＰにおいて、１つのスロットを構成するＯＦＤＭシンボルまたはＳＣ−ＦＤＭＡシンボルの数は７である。拡張ＣＰにおいて、１つのスロットを構成するＯＦＤＭシンボルまたはＳＣ−ＦＤＭＡシンボルの数は６である。リソースグリッド内のエレメントのそれぞれはリソースエレメントと称される。リソースエレメントは、サブキャリアのインデックス（番号）とシンボルのインデックス（番号）とを用いて識別される。なお、本実施形態の説明において、ＯＦＤＭシンボルまたはＳＣ−ＦＤＭＡシンボルは単にシンボルとも呼称される。
【００３８】
リソースブロックは、ある物理チャネル（ＰＤＳＣＨまたはＰＵＳＣＨなど）をリソースエレメントにマッピングするために用いられる。リソースブロックは、仮想リソースブロックと物理リソースブロックを含む。ある物理チャネルは、仮想リソースブロックにマッピングされる。仮想リソースブロックは、物理リソースブロックにマッピングされる。１つの物理リソースブロックは、時間領域において所定数の連続するシンボルで定義される。１つの物理リソースブロックは、周波数領域において所定数の連続するサブキャリアとから定義される。１つの物理リソースブロックにおけるシンボル数およびサブキャリア数は、そのセルにおけるＣＰのタイプ、サブキャリア間隔および／または上位層によって設定されるパラメータなどに基づいて決まる。例えば、ＣＰのタイプがノーマルＣＰであり、サブキャリア間隔が１５ｋＨｚである場合、１つの物理リソースブロックにおけるシンボル数は７であり、サブキャリア数は１２である。その場合、１つの物理リソースブロックは（７×１２）個のリソースエレメントから構成される。物理リソースブロックは周波数領域において０から番号が付けられる。また、同一の物理リソースブロック番号が対応する、１つのサブフレーム内の２つのリソースブロックは、物理リソースブロックペア（ＰＲＢペア、ＲＢペア）として定義される。
【００３９】
ＬＴＥセルのそれぞれにおいて、あるサブフレームでは、１つの所定のパラメータが用いられる。例えば、その所定のパラメータは、送信信号に関するパラメータ（物理パラメータ）である。送信信号に関するパラメータは、ＣＰ長、サブキャリア間隔、１つのサブフレーム（所定の時間長）におけるシンボル数、１つのリソースブロック（所定の周波数帯域）のおけるサブキャリア数、多元接続方式、および、信号波形などを含む。
【００４０】
すなわち、ＬＴＥセルでは、下りリンク信号および上りリンク信号は、それぞれ所定の時間長（例えば、サブフレーム）において、１つの所定のパラメータを用いて生成される。換言すると、端末装置２は、基地局装置１から送信される下りリンク信号、および、基地局装置１に送信する上りリンク信号が、それぞれ所定の時間長において、１つの所定のパラメータで生成される、と想定する。また、基地局装置１は、端末装置２に送信する下りリンク信号、および、端末装置２から送信される上りリンク信号が、それぞれ所定の時間長において、１つの所定のパラメータで生成されるように設定する。
【００４１】
＜本実施形態におけるＮＲのフレーム構成＞
ＮＲセルのそれぞれにおいて、ある所定の時間長（例えば、サブフレーム）では、１つ以上の所定のパラメータが用いられる。すなわち、ＮＲセルでは、下りリンク信号および上りリンク信号は、それぞれ所定の時間長において、１つ以上の所定のパラメータを用いて生成される。換言すると、端末装置２は、基地局装置１から送信される下りリンク信号、および、基地局装置１に送信する上りリンク信号が、それぞれ所定の時間長において、１つ以上の所定のパラメータで生成される、と想定する。また、基地局装置１は、端末装置２に送信する下りリンク信号、および、端末装置２から送信される上りリンク信号が、それぞれ所定の時間長において、１つ以上の所定のパラメータで生成されるように設定できる。複数の所定のパラメータが用いられる場合、それらの所定のパラメータが用いられて生成される信号は、所定の方法により多重される。例えば、所定の方法は、ＦＤＭ（Frequency  Division  Multiplexing）、ＴＤＭ（Time  Division  Multiplexing）、ＣＤＭ（Code  Division  Multiplexing）および／またはＳＤＭ（Spatial  Division  Multiplexing）などを含む。
【００４２】
ＮＲセルに設定される所定のパラメータの組み合わせは、パラメータセットとして、複数種類を予め規定できる。
【００４３】
図５は、ＮＲセルにおける送信信号に関するパラメータセットの一例を示す図である。図５の例では、パラメータセットに含まれる送信信号に関するパラメータは、サブキャリア間隔、ＮＲセルにおけるリソースブロックあたりのサブキャリア数、サブフレームあたりのシンボル数、および、ＣＰ長タイプである。ＣＰ長タイプは、ＮＲセルで用いられるＣＰ長のタイプである。例えば、ＣＰ長タイプ１はＬＴＥにおけるノーマルＣＰに相当し、ＣＰ長タイプ２はＬＴＥにおける拡張ＣＰに相当する。
【００４４】
ＮＲセルにおける送信信号に関するパラメータセットは、下りリンクおよび上りリンクでそれぞれ個別に規定することができる。また、ＮＲセルにおける送信信号に関するパラメータセットは、下りリンクおよび上りリンクでそれぞれ独立に設定できる。
【００４５】
図６は、本実施形態におけるＮＲの下りリンクサブフレームの一例を示す図である。図６の例では、パラメータセット１、パラメータセット０およびパラメータセット２を用いて生成される信号が、セル（システム帯域幅）において、ＦＤＭされる。図６に示される図は、ＮＲの下りリンクリソースグリッドとも呼称される。基地局装置１は、端末装置２への下りリンクサブフレームにおいて、ＮＲの下りリンク物理チャネルおよび／またはＮＲの下りリンク物理信号を送信できる。端末装置２は、基地局装置１からの下りリンクサブフレームにおいて、ＮＲの下りリンク物理チャネルおよび／またはＮＲの下りリンク物理信号を受信できる。
【００４６】
図７は、本実施形態におけるＮＲの上りリンクサブフレームの一例を示す図である。図７の例では、パラメータセット１、パラメータセット０およびパラメータセット２を用いて生成される信号が、セル（システム帯域幅）において、ＦＤＭされる。図７に示される図は、ＮＲの上りリンクリソースグリッドとも呼称される。基地局装置１は、端末装置２への上りリンクサブフレームにおいて、ＮＲの上りリンク物理チャネルおよび／またはＮＲの上りリンク物理信号を送信できる。端末装置２は、基地局装置１からの上りリンクサブフレームにおいて、ＮＲの上りリンク物理チャネルおよび／またはＮＲの上りリンク物理信号を受信できる。
【００４７】
＜本実施形態におけるアンテナポート＞
アンテナポートは、あるシンボルを運ぶ伝搬チャネルが、同一のアンテナポートにおける別のシンボルを運ぶ伝搬チャネルから推測できるようにするために定義される。例えば、同一のアンテナポートにおける異なる物理リソースは、同一の伝搬チャネルで送信されていると想定できる。すなわち、あるアンテナポートにおけるシンボルは、そのアンテナポートにおける参照信号により伝搬チャネルを推定し、復調することができる。また、アンテナポート毎に１つのリソースグリッドがある。アンテナポートは、参照信号によって定義される。また、それぞれの参照信号は、複数のアンテナポートを定義できる。
【００４８】
アンテナポートはアンテナポート番号によって特定または識別される。例えば、アンテナポート０〜３は、ＣＲＳが送信されるアンテナポートである。すなわち、アンテナポート０〜３で送信されるＰＤＳＣＨは、アンテナポート０〜３に対応するＣＲＳで復調できる。
【００４９】
２つのアンテナポートは所定の条件を満たす場合、準同一位置（ＱＣＬ：Quasi  co-location）であると表すことができる。その所定の条件は、あるアンテナポートにおけるシンボルを運ぶ伝搬チャネルの広域的特性が、別のアンテナポートにおけるシンボルを運ぶ伝搬チャネルから推測できることである。広域的特性は、遅延分散、ドップラースプレッド、ドップラーシフト、平均利得および／または平均遅延を含む。
【００５０】
本実施形態において、アンテナポート番号は、ＲＡＴ毎に異なって定義されてもよいし、ＲＡＴ間で共通に定義されてもよい。例えば、ＬＴＥにおけるアンテナポート０〜３は、ＣＲＳが送信されるアンテナポートである。ＮＲにおいて、アンテナポート０〜３は、ＬＴＥと同様のＣＲＳが送信されるアンテナポートとすることができる。また、ＮＲにおいて、ＬＴＥと同様のＣＲＳが送信されるアンテナポートは、アンテナポート０〜３とは異なるアンテナポート番号とすることができる。本実施形態の説明において、所定のアンテナポート番号は、ＬＴＥおよび／またはＮＲに対して適用できる。
【００５１】
＜本実施形態における物理チャネルおよび物理信号＞
本実施形態において、物理チャネルおよび物理信号が用いられる。
【００５２】
物理チャネルは、下りリンク物理チャネル、上りリンク物理チャネルおよびサイドリンク物理チャネルを含む。物理信号は、下りリンク物理信号、上りリンク物理信号およびサイドリンク物理信号を含む。
【００５３】
ＬＴＥにおける物理チャネルおよび物理信号は、それぞれＬＴＥ物理チャネルおよびＬＴＥ物理信号とも呼称される。ＮＲにおける物理チャネルおよび物理信号は、それぞれＮＲ物理チャネルおよびＮＲ物理信号とも呼称される。ＬＴＥ物理チャネルおよびＮＲ物理チャネルは、それぞれ異なる物理チャネルとして定義できる。ＬＴＥ物理信号およびＮＲ物理信号は、それぞれ異なる物理信号として定義できる。本実施形態の説明において、ＬＴＥ物理チャネルおよびＮＲ物理チャネルは単に物理チャネルとも呼称され、ＬＴＥ物理信号およびＮＲ物理信号は単に物理信号とも呼称される。すなわち、物理チャネルに対する説明は、ＬＴＥ物理チャネルおよびＮＲ物理チャネルのいずれに対しても適用できる。物理信号に対する説明は、ＬＴＥ物理信号およびＮＲ物理信号のいずれに対しても適用できる。
【００５４】
＜本実施形態における下りリンク物理チャネル＞
ＰＢＣＨは、基地局装置１のサービングセルに固有の報知情報であるＭＩＢ（Master  Information  Block）を報知するために用いられる。ＰＢＣＨは無線フレーム内のサブフレーム０のみで送信される。ＭＩＢは、４０ｍｓ間隔で更新できる。ＰＢＣＨは１０ｍｓ周期で繰り返し送信される。具体的には、ＳＦＮ（System  Frame  Number）を４で割った余りが０である条件を満たす無線フレームにおけるサブフレーム０においてＭＩＢの初期送信が行なわれ、他の全ての無線フレームにおけるサブフレーム０においてＭＩＢの再送信（repetition）が行われる。ＳＦＮは無線フレームの番号（システムフレーム番号）である。ＭＩＢはシステム情報である。例えば、ＭＩＢは、ＳＦＮを示す情報を含む。
【００５５】
ＰＣＦＩＣＨは、ＰＤＣＣＨの送信に用いられるＯＦＤＭシンボルの数に関する情報を送信するために用いられる。ＰＣＦＩＣＨで示される領域は、ＰＤＣＣＨ領域とも呼称される。ＰＣＦＩＣＨで送信される情報は、ＣＦＩ（Control  Format  Indicator）とも呼称される。
【００５６】
ＰＤＣＣＨおよびＥＰＤＣＣＨは、下りリンク制御情報（Downlink  Control  Information:  DCI）を送信するために用いられる。下りリンク制御情報の情報ビットのマッピングが、ＤＣＩフォーマットとして定義される。下りリンク制御情報は、下りリンクグラント（downlink  grant）および上りリンクグラント（uplink  grant）を含む。下りリンクグラントは、下りリンクアサインメント（downlink  assignment）または下りリンク割り当て（downlink  allocation）とも称する。
【００５７】
ＰＤＣＣＨは、連続する１つまたは複数のＣＣＥ（Control  Channel  Element）の集合によって送信される。ＣＣＥは、９つのＲＥＧ（Resource  Element  Group）で構成される。ＲＥＧは、４つのリソースエレメントで構成される。ＰＤＣＣＨがｎ個の連続するＣＣＥで構成される場合、そのＰＤＣＣＨは、ＣＣＥのインデックス（番号）であるｉをｎで割った余りが０である条件を満たすＣＣＥから始まる。
【００５８】
ＥＰＤＣＣＨは、連続する１つまたは複数のＥＣＣＥ（Enhanced  Control  Channel  Element）の集合によって送信される。ＥＣＣＥは、複数のＥＲＥＧ（Enhanced  Resource  Element  Group）で構成される。
【００５９】
下りリンクグラントは、あるセル内のＰＤＳＣＨのスケジューリングに用いられる。下りリンクグラントは、その下りリンクグラントが送信されたサブフレームと同じサブフレーム内のＰＤＳＣＨのスケジューリングに用いられる。上りリンクグラントは、あるセル内のＰＵＳＣＨのスケジューリングに用いられる。上りリンクグラントは、その上りリンクグラントが送信されたサブフレームより４つ以上後のサブフレーム内の単一のＰＵＳＣＨのスケジューリングに用いられる。
【００６０】
ＤＣＩには、ＣＲＣ（Cyclic  Redundancy  Check）パリティビットが付加される。ＣＲＣパリティビットは、ＲＮＴＩ（Radio  Network  Temporary  Identifier）でスクランブルされる。ＲＮＴＩは、ＤＣＩの目的などに応じて、規定または設定できる識別子である。ＲＮＴＩは、仕様で予め規定される識別子、セルに固有の情報として設定される識別子、端末装置２に固有の情報として設定される識別子、または、端末装置２に属するグループに固有の情報として設定される識別子である。例えば、端末装置２は、ＰＤＣＣＨまたはＥＰＤＣＣＨのモニタリングにおいて、ＤＣＩに付加されたＣＲＣパリティビットに所定のＲＮＴＩでデスクランブルし、ＣＲＣが正しいかどうかを識別する。ＣＲＣが正しい場合、そのＤＣＩは端末装置２のためのＤＣＩであることが分かる。
【００６１】
ＰＤＳＣＨは、下りリンクデータ（Downlink  Shared  Channel:  DL-SCH）を送信するために用いられる。また、ＰＤＳＣＨは、上位層の制御情報を送信するためにも用いられる。
【００６２】
ＰＤＣＣＨ領域において、複数のＰＤＣＣＨが周波数、時間、および／または、空間多重されてもよい。ＥＰＤＣＣＨ領域において、複数のＥＰＤＣＣＨが周波数、時間、および／または、空間多重されてもよい。ＰＤＳＣＨ領域において、複数のＰＤＳＣＨが周波数、時間、および／または、空間多重されてもよい。ＰＤＣＣＨ、ＰＤＳＣＨおよび／またはＥＰＤＣＣＨは周波数、時間、および／または、空間多重されてもよい。
【００６３】
＜本実施形態における下りリンク物理信号＞
同期信号は、端末装置２が下りリンクの周波数領域および／または時間領域の同期をとるために用いられる。同期信号は、ＰＳＳ（Primary  Synchronization  Signal）およびＳＳＳ（Secondary  Synchronization  Signal）を含む。同期信号は無線フレーム内の所定のサブフレームに配置される。例えば、ＴＤＤ方式において、同期信号は無線フレーム内のサブフレーム０、１、５、および６に配置される。ＦＤＤ方式において、同期信号は無線フレーム内のサブフレーム０および５に配置される。
【００６４】
ＰＳＳは、粗いフレーム／シンボルタイミング同期（時間領域の同期）やセル識別グループの識別に用いられてもよい。ＳＳＳは、より正確なフレームタイミング同期やセルの識別、ＣＰ長の検出に用いられてもよい。つまり、ＰＳＳとＳＳＳを用いることによって、フレームタイミング同期とセル識別を行うことができる。
【００６５】
下りリンク参照信号は、端末装置２が下りリンク物理チャネルの伝搬路推定、伝搬路補正、下りリンクのＣＳＩ（Channel  State  Information、チャネル状態情報）の算出、および／または、端末装置２のポジショニングの測定を行うために用いられる。
【００６６】
ＣＲＳは、サブフレームの全帯域で送信される。ＣＲＳは、ＰＢＣＨ、ＰＤＣＣＨ、ＰＨＩＣＨ、ＰＣＦＩＣＨ、およびＰＤＳＣＨの受信（復調）を行うために用いられる。ＣＲＳは、端末装置２が下りリンクのチャネル状態情報を算出するために用いられてもよい。ＰＢＣＨ、ＰＤＣＣＨ、ＰＨＩＣＨ、およびＰＣＦＩＣＨは、ＣＲＳの送信に用いられるアンテナポートで送信される。ＣＲＳは、１、２または４のアンテナポートの構成をサポートする。ＣＲＳは、アンテナポート０〜３の１つまたは複数で送信される。
【００６７】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。ＰＤＳＣＨに関連するＵＲＳは、アンテナポート５、７〜１４の１つまたは複数で送信される。
【００６８】
ＰＤＳＣＨは、送信モードおよびＤＣＩフォーマットに基づいて、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００６９】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。ＥＰＤＣＣＨに関連するＤＭＲＳは、アンテナポート１０７〜１１４の１つまたは複数で送信される。
【００７０】
ＣＳＩ−ＲＳは、設定されたサブフレームで送信される。ＣＳＩ−ＲＳが送信されるリソースは、基地局装置１によって設定される。ＣＳＩ−ＲＳは、端末装置２が下りリンクのチャネル状態情報を算出するために用いられる。端末装置２は、ＣＳＩ−ＲＳを用いて信号測定（チャネル測定）を行う。ＣＳＩ−ＲＳは、１、２、４、８、１２、１６、２４および３２の一部または全部のアンテナポートの設定をサポートする。ＣＳＩ−ＲＳは、アンテナポート１５〜４６の１つまたは複数で送信される。なお、サポートされるアンテナポートは、端末装置２の端末装置ケイパビリティ、ＲＲＣパラメータの設定、および／または設定される送信モードなどに基づいて決定されてもよい。
【００７１】
ＺＰ  ＣＳＩ−ＲＳのリソースは、上位層によって設定される。ＺＰ  ＣＳＩ−ＲＳのリソースはゼロ出力の電力で送信されてもよい。すなわち、ＺＰ  ＣＳＩ−ＲＳのリソースは何も送信しなくてもよい。ＺＰ  ＣＳＩ−ＲＳの設定したリソースにおいて、ＰＤＳＣＨおよびＥＰＤＣＣＨは送信されない。例えば、ＺＰ  ＣＳＩ−ＲＳのリソースは隣接セルがＮＺＰ  ＣＳＩ−ＲＳの送信を行うために用いられる。また、例えば、ＺＰ  ＣＳＩ−ＲＳのリソースはＣＳＩ−ＩＭを測定するために用いられる。また、例えば、ＺＰ  ＣＳＩ−ＲＳのリソースはＰＤＳＣＨなどの所定のチャネルが送信されないリソースである。換言すると、所定のチャネルは、ＺＰ  ＣＳＩ−ＲＳのリソースを除いて（レートマッチングして、パンクチャして）マッピングされる。
【００７２】
＜本実施形態における上りリンク物理チャネル＞
ＰＵＣＣＨは、上りリンク制御情報（Uplink  Control  Information:  UCI）を送信するために用いられる物理チャネルである。上りリンク制御情報は、下りリンクのチャネル状態情報（Channel  State  Information:  CSI）、ＰＵＳＣＨリソースの要求を示すスケジューリング要求（Scheduling  Request:  SR）、下りリンクデータ（Transport  block:  TB,  Downlink-Shared  Channel:  DL-SCH）に対するＨＡＲＱ−ＡＣＫを含む。ＨＡＲＱ−ＡＣＫは、ＡＣＫ／ＮＡＣＫ、ＨＡＲＱフィードバック、または、応答情報とも称される。また、下りリンクデータに対するＨＡＲＱ−ＡＣＫは、ＡＣＫ、ＮＡＣＫ、またはＤＴＸを示す。
【００７３】
ＰＵＳＣＨは、上りリンクデータ（Uplink-Shared  Channel:  UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨは、チャネル状態情報のみ、または、ＨＡＲＱ−ＡＣＫおよびチャネル状態情報のみを送信するために用いられてもよい。
【００７４】
ＰＲＡＣＨは、ランダムアクセスプリアンブルを送信するために用いられる物理チャネルである。ＰＲＡＣＨは、端末装置２が基地局装置１と時間領域の同期をとるために用いられることができる。また、ＰＲＡＣＨは、初期コネクション構築（initial  connection  establishment）手続き（処理）、ハンドオーバ手続き、コネクション再構築（connection  re-establishment）手続き、上りリンク送信に対する同期（タイミング調整）、および／または、ＰＵＳＣＨリソースの要求を示すためにも用いられる。
【００７５】
ＰＵＣＣＨ領域において、複数のＰＵＣＣＨが周波数、時間、空間および／またはコード多重される。ＰＵＳＣＨ領域において、複数のＰＵＳＣＨが周波数、時間、空間および／またはコード多重されてもよい。ＰＵＣＣＨおよびＰＵＳＣＨは周波数、時間、空間および／またはコード多重されてもよい。ＰＲＡＣＨは単一のサブフレームまたは２つのサブフレームにわたって配置されてもよい。複数のＰＲＡＣＨが符号多重されてもよい。
【００７６】
＜本実施形態における上りリンク物理信号＞
ＵＬ−ＤＭＲＳは、ＰＵＳＣＨまたはＰＵＣＣＨの送信に関連する。ＵＬ−ＤＭＲＳは、ＰＵＳＣＨまたはＰＵＣＣＨと時間多重される。基地局装置１は、ＰＵＳＣＨまたはＰＵＣＣＨの伝搬路補正を行うためにＵＬ−ＤＭＲＳを用いてもよい。本実施形態の説明において、ＰＵＳＣＨの送信は、ＰＵＳＣＨとＵＬ−ＤＭＲＳを多重して送信することも含む。本実施形態の説明において、ＰＵＣＣＨの送信は、ＰＵＣＣＨとＵＬ−ＤＭＲＳを多重して送信することも含む。
【００７７】
ＳＲＳは、ＰＵＳＣＨまたはＰＵＣＣＨの送信に関連しない。基地局装置１は、上りリンクのチャネル状態を測定するためにＳＲＳを用いてもよい。
【００７８】
ＳＲＳは上りリンクサブフレーム内の最後のシンボルを用いて送信される。つまり、ＳＲＳは上りリンクサブフレーム内の最後のシンボルに配置される。端末装置２は、あるセルのあるシンボルにおいて、ＳＲＳと、ＰＵＣＣＨ、ＰＵＳＣＨおよび／またはＰＲＡＣＨとの同時送信を制限できる。端末装置２は、あるセルのある上りリンクサブフレームにおいて、その上りリンクサブフレーム内の最後のシンボルを除くシンボルを用いてＰＵＳＣＨおよび／またはＰＵＣＣＨを送信し、その上りリンクサブフレーム内の最後のシンボルを用いてＳＲＳを送信することができる。つまり、あるセルのある上りリンクサブフレームにおいて、端末装置２は、ＳＲＳと、ＰＵＳＣＨおよびＰＵＣＣＨと、を送信することができる。
【００７９】
ＳＲＳにおいて、トリガータイプの異なるＳＲＳとして、トリガータイプ０ＳＲＳおよびトリガータイプ１ＳＲＳが定義される。トリガータイプ０ＳＲＳは、上位層シグナリングによって、トリガータイプ０ＳＲＳに関するパラメータが設定される場合に送信される。トリガータイプ１ＳＲＳは、上位層シグナリングによって、トリガータイプ１ＳＲＳに関するパラメータが設定され、ＤＣＩフォーマット０、１Ａ、２Ｂ、２Ｃ、２Ｄ、または４に含まれるＳＲＳリクエストによって送信が要求された場合に送信される。なお、ＳＲＳリクエストは、ＤＣＩフォーマット０、１Ａ、または４についてはＦＤＤとＴＤＤの両方に含まれ、ＤＣＩフォーマット２Ｂ、２Ｃ、または２ＤについてはＴＤＤにのみ含まれる。同じサービングセルの同じサブフレームでトリガータイプ０ＳＲＳの送信とトリガータイプ１ＳＲＳの送信が生じる場合、トリガータイプ１ＳＲＳの送信が優先される。トリガータイプ０ＳＲＳは、周期的ＳＲＳとも呼称される。トリガータイプ１ＳＲＳは、非周期的ＳＲＳとも呼称される。
【００８０】
＜本実施形態における基地局装置１の構成例＞
図８は、本実施形態の基地局装置１の構成を示す概略ブロック図である。図示するように、基地局装置１は、上位層処理部１０１、制御部１０３、受信部１０５、送信部１０７、および、送受信アンテナ１０９、を含んで構成される。また、受信部１０５は、復号化部１０５１、復調部１０５３、多重分離部１０５５、無線受信部１０５７、およびチャネル測定部１０５９を含んで構成される。また、送信部１０７は、符号化部１０７１、変調部１０７３、多重部１０７５、無線送信部１０７７、および下りリンク参照信号生成部１０７９を含んで構成される。
【００８１】
既に説明したように、基地局装置１は、１つ以上のＲＡＴをサポートできる。図８に示す基地局装置１に含まれる各部の一部または全部は、ＲＡＴに応じて個別に構成されうる。例えば、受信部１０５および送信部１０７は、ＬＴＥとＮＲとで個別に構成される。また、ＮＲセルにおいて、図８に示す基地局装置１に含まれる各部の一部または全部は、送信信号に関するパラメータセットに応じて個別に構成されうる。例えば、あるＮＲセルにおいて、無線受信部１０５７および無線送信部１０７７は、送信信号に関するパラメータセットに応じて個別に構成されうる。
【００８２】
上位層処理部１０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行う。また、上位層処理部１０１は、受信部１０５、および送信部１０７の制御を行うために制御情報を生成し、制御部１０３に出力する。
【００８３】
制御部１０３は、上位層処理部１０１からの制御情報に基づいて、受信部１０５および送信部１０７の制御を行う。制御部１０３は、上位層処理部１０１への制御情報を生成し、上位層処理部１０１に出力する。制御部１０３は、復号化部１０５１からの復号化された信号およびチャネル測定部１０５９からのチャネル推定結果を入力する。制御部１０３は、符号化する信号を符号化部１０７１へ出力する。また、制御部１０３は、基地局装置１の全体または一部を制御するために用いられる。
【００８４】
上位層処理部１０１は、ＲＡＴ制御、無線リソース制御、サブフレーム設定、スケジューリング制御、および／または、ＣＳＩ報告制御に関する処理および管理を行う。上位層処理部１０１における処理および管理は、端末装置毎、または基地局装置に接続している端末装置共通に行われる。上位層処理部１０１における処理および管理は、上位層処理部１０１のみで行われてもよいし、上位ノードまたは他の基地局装置から取得してもよい。また、上位層処理部１０１における処理および管理は、ＲＡＴに応じて個別に行われてもよい。例えば、上位層処理部１０１は、ＬＴＥにおける処理および管理と、ＮＲにおける処理および管理とを個別に行う。
【００８５】
上位層処理部１０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【００８６】
上位層処理部１０１における無線リソース制御では、下りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【００８７】
上位層処理部１０１におけるサブフレーム設定では、サブフレーム設定、サブフレームパターン設定、上りリンク−下りリンク設定、上りリンク参照ＵＬ−ＤＬ設定、および／または、下りリンク参照ＵＬ−ＤＬ設定の管理が行われる。なお、上位層処理部１０１におけるサブフレーム設定は、基地局サブフレーム設定とも呼称される。また、上位層処理部１０１におけるサブフレーム設定は、上りリンクのトラフィック量および下りリンクのトラフィック量に基づいて決定できる。また、上位層処理部１０１におけるサブフレーム設定は、上位層処理部１０１におけるスケジューリング制御のスケジューリング結果に基づいて決定できる。
【００８８】
上位層処理部１０１におけるスケジューリング制御では、受信したチャネル状態情報およびチャネル測定部１０５９から入力された伝搬路の推定値やチャネルの品質などに基づいて、物理チャネルを割り当てる周波数およびサブフレーム、物理チャネルの符号化率および変調方式および送信電力などが決定される。例えば、制御部１０３は、上位層処理部１０１におけるスケジューリング制御のスケジューリング結果に基づいて、制御情報（ＤＣＩフォーマット）を生成する。
【００８９】
上位層処理部１０１におけるＣＳＩ報告制御では、端末装置２のＣＳＩ報告が制御される。例えば、端末装置２においてＣＳＩを算出するために想定するためのＣＳＩ参照リソースに関する設定が制御される。
【００９０】
受信部１０５は、制御部１０３からの制御に従って、送受信アンテナ１０９を介して端末装置２から送信された信号を受信し、さらに分離、復調、復号などの受信処理を行い、受信処理された情報を制御部１０３に出力する。なお、受信部１０５における受信処理は、あらかじめ規定された設定、または基地局装置１が端末装置２に通知した設定に基づいて行われる。
【００９１】
無線受信部１０５７は、送受信アンテナ１０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からデジタル信号への変換、ガードインターバル（Guard  Interval:  GI）の除去、および／または、高速フーリエ変換（Fast  Fourier  Transform:  FFT）による周波数領域信号の抽出を行う。
【００９２】
多重分離部１０５５は、無線受信部１０５７から入力された信号から、ＰＵＣＣＨまたはＰＵＳＣＨなどの上りリンクチャネルおよび／または上りリンク参照信号を分離する。多重分離部１０５５は、上りリンク参照信号をチャネル測定部１０５９に出力する。多重分離部１０５５は、チャネル測定部１０５９から入力された伝搬路の推定値から、上りリンクチャネルに対する伝搬路の補償を行う。
【００９３】
復調部１０５３は、上りリンクチャネルの変調シンボルに対して、ＢＰＳＫ（Binary  Phase  Shift  Keying）、ＱＰＳＫ（Quadrature  Phase  shift  Keying）、１６ＱＡＭ（Quadrature  Amplitude  Modulation）、６４ＱＡＭ、２５６ＱＡＭ等の変調方式を用いて受信信号の復調を行う。復調部１０５３は、ＭＩＭＯ多重された上りリンクチャネルの分離および復調を行う。
【００９４】
復号化部１０５１は、復調された上りリンクチャネルの符号化ビットに対して、復号処理を行う。復号された上りリンクデータおよび／または上りリンク制御情報は制御部１０３へ出力される。復号化部１０５１は、ＰＵＳＣＨに対しては、トランスポートブロック毎に復号処理を行う。
【００９５】
チャネル測定部１０５９は、多重分離部１０５５から入力された上りリンク参照信号から伝搬路の推定値および／またはチャネルの品質などを測定し、多重分離部１０５５および／または制御部１０３に出力する。例えば、チャネル測定部１０５９は、ＵＬ−ＤＭＲＳを用いてＰＵＣＣＨまたはＰＵＳＣＨに対する伝搬路補償を行うための伝搬路の推定値を測定し、ＳＲＳを用いて上りリンクにおけるチャネルの品質を測定する。
【００９６】
送信部１０７は、制御部１０３からの制御に従って、上位層処理部１０１から入力された下りリンク制御情報および下りリンクデータに対して、符号化、変調および多重などの送信処理を行う。例えば、送信部１０７は、ＰＨＩＣＨ、ＰＤＣＣＨ、ＥＰＤＣＣＨ、ＰＤＳＣＨ、および下りリンク参照信号を生成および多重し、送信信号を生成する。なお、送信部１０７における送信処理は、あらかじめ規定された設定、基地局装置１が端末装置２に通知した設定、または、同一のサブフレームで送信されるＰＤＣＣＨまたはＥＰＤＣＣＨを通じて通知される設定に基づいて行われる。
【００９７】
符号化部１０７１は、制御部１０３から入力されたＨＡＲＱインディケータ（ＨＡＲＱ−ＡＣＫ）、下りリンク制御情報、および下りリンクデータを、ブロック符号化、畳込み符号化、ターボ符号化等の所定の符号化方式を用いて符号化を行う。変調部１０７３は、符号化部１０７１から入力された符号化ビットをＢＰＳＫ、ＱＰＳＫ、１６ＱＡＭ、６４ＱＡＭ、２５６ＱＡＭ等の所定の変調方式で変調する。下りリンク参照信号生成部１０７９は、物理セル識別子（ＰＣＩ：Physical  cell  identification）、端末装置２に設定されたＲＲＣパラメータなどに基づいて、下りリンク参照信号を生成する。多重部１０７５は、各チャネルの変調シンボルと下りリンク参照信号を多重し、所定のリソースエレメントに配置する。
【００９８】
無線送信部１０７７は、多重部１０７５からの信号に対して、逆高速フーリエ変換（Inverse  Fast  Fourier  Transform:  IFFT）による時間領域の信号への変換、ガードインターバルの付加、ベースバンドのデジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部１０７７が出力した送信信号は、送受信アンテナ１０９から送信される。
【００９９】
＜本実施形態における端末装置２の構成例＞
図９は、本実施形態の端末装置２の構成を示す概略ブロック図である。図示するように、端末装置２は、上位層処理部２０１、制御部２０３、受信部２０５、送信部２０７、および送受信アンテナ２０９を含んで構成される。また、受信部２０５は、復号化部２０５１、復調部２０５３、多重分離部２０５５、無線受信部２０５７、およびチャネル測定部２０５９を含んで構成される。また、送信部２０７は、符号化部２０７１、変調部２０７３、多重部２０７５、無線送信部２０７７、および上りリンク参照信号生成部２０７９を含んで構成される。
【０１００】
既に説明したように、端末装置２は、１つ以上のＲＡＴをサポートできる。図９に示す端末装置２に含まれる各部の一部または全部は、ＲＡＴに応じて個別に構成されうる。例えば、受信部２０５および送信部２０７は、ＬＴＥとＮＲとで個別に構成される。また、ＮＲセルにおいて、図９に示す端末装置２に含まれる各部の一部または全部は、送信信号に関するパラメータセットに応じて個別に構成されうる。例えば、あるＮＲセルにおいて、無線受信部２０５７および無線送信部２０７７は、送信信号に関するパラメータセットに応じて個別に構成されうる。
【０１０１】
上位層処理部２０１は、上りリンクデータ（トランスポートブロック）を、制御部２０３に出力する。上位層処理部２０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行なう。また、上位層処理部２０１は、受信部２０５、および送信部２０７の制御を行うために制御情報を生成し、制御部２０３に出力する。
【０１０２】
制御部２０３は、上位層処理部２０１からの制御情報に基づいて、受信部２０５および送信部２０７の制御を行う。制御部２０３は、上位層処理部２０１への制御情報を生成し、上位層処理部２０１に出力する。制御部２０３は、復号化部２０５１からの復号化された信号およびチャネル測定部２０５９からのチャネル推定結果を入力する。制御部２０３は、符号化する信号を符号化部２０７１へ出力する。また、制御部２０３は、端末装置２の全体または一部を制御するために用いられてもよい。
【０１０３】
上位層処理部２０１は、ＲＡＴ制御、無線リソース制御、サブフレーム設定、スケジューリング制御、および／または、ＣＳＩ報告制御に関する処理および管理を行う。上位層処理部２０１における処理および管理は、あらかじめ規定される設定、および／または、基地局装置１から設定または通知される制御情報に基づく設定に基づいて行われる。例えば、基地局装置１からの制御情報は、ＲＲＣパラメータ、ＭＡＣ制御エレメントまたはＤＣＩを含む。また、上位層処理部２０１における処理および管理は、ＲＡＴに応じて個別に行われてもよい。例えば、上位層処理部２０１は、ＬＴＥにおける処理および管理と、ＮＲにおける処理および管理とを個別に行う。
【０１０４】
上位層処理部２０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【０１０５】
上位層処理部２０１における無線リソース制御では、自装置における設定情報の管理が行われる。上位層処理部２０１における無線リソース制御では、上りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【０１０６】
上位層処理部２０１におけるサブフレーム設定では、基地局装置１および／または基地局装置１とは異なる基地局装置におけるサブフレーム設定が管理される。サブフレーム設定は、サブフレームに対する上りリンクまたは下りリンクの設定、サブフレームパターン設定、上りリンク−下りリンク設定、上りリンク参照ＵＬ−ＤＬ設定、および／または、下りリンク参照ＵＬ−ＤＬ設定を含む。なお、上位層処理部２０１におけるサブフレーム設定は、端末サブフレーム設定とも呼称される。
【０１０７】
上位層処理部２０１におけるスケジューリング制御では、基地局装置１からのＤＣＩ（スケジューリング情報）に基づいて、受信部２０５および送信部２０７に対するスケジューリングに関する制御を行うための制御情報が生成される。
【０１０８】
上位層処理部２０１におけるＣＳＩ報告制御では、基地局装置１に対するＣＳＩの報告に関する制御が行われる。例えば、ＣＳＩ報告制御では、チャネル測定部２０５９でＣＳＩを算出するために想定するためのＣＳＩ参照リソースに関する設定が制御される。ＣＳＩ報告制御では、ＤＣＩおよび／またはＲＲＣパラメータに基づいて、ＣＳＩを報告するために用いられるリソース（タイミング）を制御する。
【０１０９】
受信部２０５は、制御部２０３からの制御に従って、送受信アンテナ２０９を介して基地局装置１から送信された信号を受信し、さらに分離、復調、復号などの受信処理を行い、受信処理された情報を制御部２０３に出力する。なお、受信部２０５における受信処理は、あらかじめ規定された設定、または基地局装置１からの通知または設定に基づいて行われる。
【０１１０】
無線受信部２０５７は、送受信アンテナ２０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からデジタル信号への変換、ガードインターバル（Guard  Interval:  GI）の除去、および／または、高速フーリエ変換（Fast  Fourier  Transform:  FFT）による周波数領域の信号の抽出を行う。
【０１１１】
多重分離部２０５５は、無線受信部２０５７から入力された信号から、ＰＨＩＣＨ、ＰＤＣＣＨ、ＥＰＤＣＣＨまたはＰＤＳＣＨなどの下りリンクチャネル、下りリンク同期信号および／または下りリンク参照信号を分離する。多重分離部２０５５は、下りリンク参照信号をチャネル測定部２０５９に出力する。多重分離部２０５５は、チャネル測定部２０５９から入力された伝搬路の推定値から、下りリンクチャネルに対する伝搬路の補償を行う。
【０１１２】
復調部２０５３は、下りリンクチャネルの変調シンボルに対して、ＢＰＳＫ、ＱＰＳＫ、１６ＱＡＭ、６４ＱＡＭ、２５６ＱＡＭ等の変調方式を用いて受信信号の復調を行う。復調部２０５３は、ＭＩＭＯ多重された下りリンクチャネルの分離および復調を行う。
【０１１３】
復号化部２０５１は、復調された下りリンクチャネルの符号化ビットに対して、復号処理を行う。復号された下りリンクデータおよび／または下りリンク制御情報は制御部２０３へ出力される。復号化部２０５１は、ＰＤＳＣＨに対しては、トランスポートブロック毎に復号処理を行う。
【０１１４】
チャネル測定部２０５９は、多重分離部２０５５から入力された下りリンク参照信号から伝搬路の推定値および／またはチャネルの品質などを測定し、多重分離部２０５５および／または制御部２０３に出力する。チャネル測定部２０５９が測定に用いる下りリンク参照信号は、少なくともＲＲＣパラメータによって設定される送信モードおよび／または他のＲＲＣパラメータに基づいて決定されてもよい。例えば、ＤＬ−ＤＭＲＳはＰＤＳＣＨまたはＥＰＤＣＣＨに対する伝搬路補償を行うための伝搬路の推定値を測定する。ＣＲＳはＰＤＣＣＨまたはＰＤＳＣＨに対する伝搬路補償を行うための伝搬路の推定値、および／または、ＣＳＩを報告するための下りリンクにおけるチャネルを測定する。ＣＳＩ−ＲＳは、ＣＳＩを報告するための下りリンクにおけるチャネルを測定する。チャネル測定部２０５９は、ＣＲＳ、ＣＳＩ−ＲＳまたは検出信号に基づいて、ＲＳＲＰ（Reference  Signal  Received  Power）および／またはＲＳＲＱ（Reference  Signal  Received  Quality）を算出し、上位層処理部２０１へ出力する。
【０１１５】
送信部２０７は、制御部２０３からの制御に従って、上位層処理部２０１から入力された上りリンク制御情報および上りリンクデータに対して、符号化、変調および多重などの送信処理を行う。例えば、送信部２０７は、ＰＵＳＣＨまたはＰＵＣＣＨなどの上りリンクチャネルおよび／または上りリンク参照信号を生成および多重し、送信信号を生成する。なお、送信部２０７における送信処理は、あらかじめ規定された設定、または、基地局装置１から設定または通知に基づいて行われる。
【０１１６】
符号化部２０７１は、制御部２０３から入力されたＨＡＲＱインディケータ（ＨＡＲＱ−ＡＣＫ）、上りリンク制御情報、および上りリンクデータを、ブロック符号化、畳込み符号化、ターボ符号化等の所定の符号化方式を用いて符号化を行う。変調部２０７３は、符号化部２０７１から入力された符号化ビットをＢＰＳＫ、ＱＰＳＫ、１６ＱＡＭ、６４ＱＡＭ、２５６ＱＡＭ等の所定の変調方式で変調する。上りリンク参照信号生成部２０７９は、端末装置２に設定されたＲＲＣパラメータなどに基づいて、上りリンク参照信号を生成する。多重部２０７５は、各チャネルの変調シンボルと上りリンク参照信号を多重し、所定のリソースエレメントに配置する。
【０１１７】
無線送信部２０７７は、多重部２０７５からの信号に対して、逆高速フーリエ変換（Inverse  Fast  Fourier  Transform:  IFFT）による時間領域の信号への変換、ガードインターバルの付加、ベースバンドのデジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部２０７７が出力した送信信号は、送受信アンテナ２０９から送信される。
【０１１８】
＜本実施形態における制御情報のシグナリング＞
基地局装置１および端末装置２は、それぞれ制御情報のシグナリング（通知、報知、設定）のために、様々な方法を用いることができる。制御情報のシグナリングは、様々な層（レイヤー）で行うことができる。制御情報のシグナリングは、物理層（レイヤー）を通じたシグナリングである物理層シグナリング、ＲＲＣ層を通じたシグナリングであるＲＲＣシグナリング、および、ＭＡＣ層を通じたシグナリングであるＭＡＣシグナリングなどを含む。ＲＲＣシグナリングは、端末装置２に固有の制御情報を通知する専用のＲＲＣシグナリング（Dedicated  RRC  signaling）、または、基地局装置１に固有の制御情報を通知する共通のＲＲＣシグナリング（Common  RRC  signaling）である。ＲＲＣシグナリングやＭＡＣシグナリングなど、物理層から見て上位の層が用いるシグナリングは上位層シグナリングとも呼称される。
【０１１９】
ＲＲＣシグナリングは、ＲＲＣパラメータをシグナリングすることにより実現される。ＭＡＣシグナリングは、ＭＡＣ制御エレメントをシグナリングすることにより実現される。物理層シグナリングは、下りリンク制御情報（ＤＣＩ：Downlink  Control  Information）または上りリンクリンク制御情報（ＵＣＩ：Uplink  Control  Information）をシグナリングすることにより実現される。ＲＲＣパラメータおよびＭＡＣ制御エレメントは、ＰＤＳＣＨまたはＰＵＳＣＨを用いて送信される。ＤＣＩは、ＰＤＣＣＨまたはＥＰＤＣＣＨを用いて送信される。ＵＣＩは、ＰＵＣＣＨまたはＰＵＳＣＨを用いて送信される。ＲＲＣシグナリングおよびＭＡＣシグナリングは、準静的（semi-static）な制御情報をシグナリングするために用いられ、準静的シグナリングとも呼称される。物理層シグナリングは、動的（dynamic）な制御情報をシグナリングするために用いられ、動的シグナリングとも呼称される。ＤＣＩは、ＰＤＳＣＨのスケジューリングまたはＰＵＳＣＨのスケジューリングなどのために用いられる。ＵＣＩは、ＣＳＩ報告、ＨＡＲＱ−ＡＣＫ報告、および／またはスケジューリング要求（ＳＲ：Scheduling  Request）などのために用いられる。
【０１２０】
＜本実施形態における下りリンク制御情報の詳細＞
ＤＣＩはあらかじめ規定されるフィールドを有するＤＣＩフォーマットを用いて通知される。ＤＣＩフォーマットに規定されるフィールドは、所定の情報ビットがマッピングされる。ＤＣＩは、下りリンクスケジューリング情報、上りリンクスケジューリング情報、サイドリンクスケジューリング情報、非周期的ＣＳＩ報告の要求、または、上りリンク送信電力コマンドを通知する。
【０１２１】
端末装置２がモニタするＤＣＩフォーマットは、サービングセル毎に設定された送信モードによって決まる。すなわち、端末装置２がモニタするＤＣＩフォーマットの一部は、送信モードによって異なることができる。例えば、下りリンク送信モード１が設定された端末装置２は、ＤＣＩフォーマット１ＡとＤＣＩフォーマット１をモニタする。例えば、下りリンク送信モード４が設定された端末装置２は、ＤＣＩフォーマット１ＡとＤＣＩフォーマット２をモニタする。例えば、上りリンク送信モード１が設定された端末装置２は、ＤＣＩフォーマット０をモニタする。例えば、上りリンク送信モード２が設定された端末装置２は、ＤＣＩフォーマット０とＤＣＩフォーマット４をモニタする。
【０１２２】
端末装置２に対するＤＣＩを通知するＰＤＣＣＨが配置される制御領域は通知されず、端末装置２は端末装置２に対するＤＣＩをブラインドデコーディング（ブラインド検出）により検出する。具体的には、端末装置２は、サービングセルにおいて、ＰＤＣＣＨ候補のセットをモニタする。モニタリングは、そのセットの中のＰＤＣＣＨのそれぞれに対して、全てのモニタされるＤＣＩフォーマットによって復号を試みることを意味する。例えば、端末装置２は、端末装置２宛に送信される可能性がある全てのアグリゲーションレベル、ＰＤＣＣＨ候補、および、ＤＣＩフォーマットについてデコードを試みる。端末装置２は、デコード（検出）が成功したＤＣＩ（ＰＤＣＣＨ）を端末装置２に対するＤＣＩ（ＰＤＣＣＨ）として認識する。
【０１２３】
ＤＣＩに対して、巡回冗長検査（ＣＲＣ:  Cyclic  Redundancy  Check）が付加される。ＣＲＣは、ＤＣＩのエラー検出およびＤＣＩのブラインド検出のために用いられる。ＣＲＣ（ＣＲＣパリティビット）は、ＲＮＴＩ（Radio  Network  Temporary  Identifier）によってスクランブルされる。端末装置２は、ＲＮＴＩに基づいて、端末装置２に対するＤＣＩかどうかを検出する。具体的には、端末装置２は、ＣＲＣに対応するビットに対して、所定のＲＮＴＩでデスクランブルを行い、ＣＲＣを抽出し、対応するＤＣＩが正しいかどうかを検出する。
【０１２４】
ＲＮＴＩは、ＤＣＩの目的や用途に応じて規定または設定される。ＲＮＴＩは、Ｃ−ＲＮＴＩ（Cell-RNTI）、ＳＰＳ  Ｃ−ＲＮＴＩ（Semi  Persistent  Scheduling  C-RNTI）、ＳＩ−ＲＮＴＩ（System  Information-RNTI）、Ｐ−ＲＮＴＩ（Paging-RNTI）、ＲＡ−ＲＮＴＩ（Random  Access-RNTI）、ＴＰＣ−ＰＵＣＣＨ−ＲＮＴＩ（Transmit  Power  Control-PUCCH-RNTI）、ＴＰＣ−ＰＵＳＣＨ−ＲＮＴＩ（Transmit  Power  Control-PUSCH-RNTI）、一時的Ｃ−ＲＮＴＩ、Ｍ−ＲＮＴＩ（MBMS  (Multimedia  Broadcast  Multicast  Services)  -RNTI）、および、ｅＩＭＴＡ−ＲＮＴＩ、ＣＣ−ＲＮＴＩを含む。
【０１２５】
Ｃ−ＲＮＴＩおよびＳＰＳ  Ｃ−ＲＮＴＩは、基地局装置１（セル）内において端末装置２に固有のＲＮＴＩであり、端末装置２を識別するための識別子である。Ｃ−ＲＮＴＩは、あるサブフレームにおけるＰＤＳＣＨまたはＰＵＳＣＨをスケジューリングするために用いられる。ＳＰＳ  Ｃ−ＲＮＴＩは、ＰＤＳＣＨまたはＰＵＳＣＨのためのリソースの周期的なスケジューリングをアクティベーションまたはリリースするために用いられる。ＳＩ−ＲＮＴＩでスクランブルされたＣＲＣを有する制御チャネルは、ＳＩＢ（System  Information  Block）をスケジューリングするために用いられる。Ｐ−ＲＮＴＩでスクランブルされたＣＲＣを有する制御チャネルは、ページングを制御するために用いられる。ＲＡ−ＲＮＴＩでスクランブルされたＣＲＣを有する制御チャネルは、ＲＡＣＨに対するレスポンスをスケジューリングするために用いられる。ＴＰＣ−ＰＵＣＣＨ−ＲＮＴＩでスクランブルされたＣＲＣを有する制御チャネルは、ＰＵＣＣＨの電力制御を行うために用いられる。ＴＰＣ−ＰＵＳＣＨ−ＲＮＴＩでスクランブルされたＣＲＣを有する制御チャネルは、ＰＵＳＣＨの電力制御を行うために用いられる。Ｔｅｍｐｏｒａｒｙ  Ｃ−ＲＮＴＩでスクランブルされたＣＲＣを有する制御チャネルは、Ｃ−ＲＮＴＩが設定または認識されていない移動局装置によって用いられる。Ｍ−ＲＮＴＩでスクランブルされたＣＲＣを有する制御チャネルは、ＭＢＭＳをスケジューリングするために用いられる。ｅＩＭＴＡ−ＲＮＴＩでスクランブルされたＣＲＣを有する制御チャネルは、動的ＴＤＤ（ｅＩＭＴＡ）において、ＴＤＤサービングセルのＴＤＤ  ＵＬ／ＤＬ設定に関する情報を通知するために用いられる。ＣＣ−ＲＮＴＩでスクランブルされたＣＲＣを有する制御チャネル（ＤＣＩ）は、ＬＡＡセカンダリーセルにおいて、専有ＯＦＤＭシンボルの設定を通知するために用いられる。なお、上記のＲＮＴＩに限らず、新たなＲＮＴＩによってＤＣＩフォーマットがスクランブルされてもよい。
【０１２６】
スケジューリング情報（下りリンクスケジューリング情報、上りリンクスケジューリング情報、サイドリンクスケジューリング情報）は、周波数領域のスケジューリングとして、リソースブロックまたはリソースブロックグループを単位にスケジューリングを行うための情報を含む。リソースブロックグループは、連続するリソースブロックのセットであり、スケジューリングされる端末装置に対する割り当てられるリソースを示す。リソースブロックグループのサイズは、システム帯域幅に応じて決まる。
【０１２７】
＜本実施形態における下りリンク制御チャネルの詳細＞
ＤＣＩはＰＤＣＣＨまたはＥＰＤＣＣＨなどの制御チャネルを用いて送信される。端末装置２は、ＲＲＣシグナリングによって設定された１つまたは複数のアクティベートされたサービングセルのＰＤＣＣＨ候補のセットおよび／またはＥＰＤＣＣＨ候補のセットをモニタする。ここで、モニタリングとは、全てのモニタされるＤＣＩフォーマットに対応するセット内のＰＤＣＣＨおよび／またはＥＰＤＣＣＨのデコードを試みることである。
【０１２８】
ＰＤＣＣＨ候補のセットまたはＥＰＤＣＣＨ候補のセットは、サーチスペースとも呼称される。サーチスペースには、共有サーチスペース（ＣＳＳ）と端末固有サーチスペース（ＵＳＳ）が定義される。ＣＳＳは、ＰＤＣＣＨに関するサーチスペースのみに対して定義されてもよい。
【０１２９】
ＣＳＳ（Common  Search  Space）は、基地局装置１に固有のパラメータおよび／または予め規定されたパラメータに基づいて設定されるサーチスペースである。例えば、ＣＳＳは、複数の端末装置で共通に用いられるサーチスペースである。そのため、基地局装置１が複数の端末装置で共通の制御チャネルをＣＳＳにマッピングすることにより、制御チャネルを送信するためのリソースが低減される。
【０１３０】
ＵＳＳ（UE-specific  Search  Space）は、少なくとも端末装置２に固有のパラメータを用いて設定されるサーチスペースである。そのため、ＵＳＳは、端末装置２に固有のサーチスペースであり、基地局装置１はＵＳＳによって端末装置２に固有の制御チャネルを個別に送信することができる。そのため、基地局装置１は複数の端末装置に固有の制御チャネルを効率的にマッピングできる。
【０１３１】
ＵＳＳは、複数の端末装置に共通に用いられるように設定されてもよい。複数の端末装置に対して共通のＵＳＳが設定されるために、端末装置２に固有のパラメータは、複数の端末装置の間で同じ値になるように設定される。例えば、複数の端末装置の間で同じパラメータに設定される単位は、セル、送信点、または所定の端末装置のグループなどである。
【０１３２】
アグリゲーションレベル毎のサーチスペースはＰＤＣＣＨ候補のセットによって定義される。ＰＤＣＣＨのそれぞれは、１つ以上のＣＣＥ（Control  Channel  Element）の集合を用いて送信される。１つのＰＤＣＣＨに用いられるＣＣＥの数は、アグリゲーションレベルとも呼称される。例えば、１つのＰＤＣＣＨに用いられるＣＣＥの数は、１、２、４または８である。
【０１３３】
アグリゲーションレベル毎のサーチスペースはＥＰＤＣＣＨ候補のセットによって定義される。ＥＰＤＣＣＨのそれぞれは、１つ以上のＥＣＣＥ（Enhanced  Control  Channel  Element）の集合を用いて送信される。１つのＥＰＤＣＣＨに用いられるＥＣＣＥの数は、アグリゲーションレベルとも呼称される。例えば、１つのＥＰＤＣＣＨに用いられるＥＣＣＥの数は、１、２、４、８、１６または３２である。
【０１３４】
ＰＤＣＣＨ候補の数またはＥＰＤＣＣＨ候補の数は、少なくともサーチスペースおよびアグリゲーションレベルに基づいて決まる。例えば、ＣＳＳにおいて、アグリゲーションレベル４および８におけるＰＤＣＣＨ候補の数はそれぞれ４および２である。例えば、ＵＳＳにおいて、アグリゲーション１、２、４および８におけるＰＤＣＣＨ候補の数はそれぞれ６、６、２および２である。
【０１３５】
それぞれのＥＣＣＥは、複数のＥＲＥＧ（Enhanced  resource  element  group）で構成される。ＥＲＥＧは、ＥＰＤＣＣＨのリソースエレメントに対するマッピングを定義するために用いられる。各ＲＢペアにおいて、０から１５に番号付けされる、１６個のＥＲＥＧが定義される。すなわち、各ＲＢペアにおいて、ＥＲＥＧ０〜ＥＲＥＧ１５が定義される。各ＲＢペアにおいて、ＥＲＥＧ０〜ＥＲＥＧ１５は、所定の信号および／またはチャネルがマッピングされるリソースエレメント以外のリソースエレメントに対して、周波数方向を優先して、周期的に定義される。例えば、アンテナポート１０７〜１１０で送信されるＥＰＤＣＣＨに関連付けられる復調用参照信号がマッピングされるリソースエレメントは、ＥＲＥＧとして定義されない。
【０１３６】
１つのＥＰＤＣＣＨに用いられるＥＣＣＥの数は、ＥＰＤＣＣＨフォーマットに依存し、他のパラメータに基づいて決定される。１つのＥＰＤＣＣＨに用いられるＥＣＣＥの数は、アグリゲーションレベルとも呼称される。例えば、１つのＥＰＤＣＣＨに用いられるＥＣＣＥの数は、１つのＲＢペアにおけるＥＰＤＣＣＨ送信に用いることができるリソースエレメントの数、ＥＰＤＣＣＨの送信方法などに基づいて、決定される。例えば、１つのＥＰＤＣＣＨに用いられるＥＣＣＥの数は、１、２、４、８、１６または３２である。また、１つのＥＣＣＥに用いられるＥＲＥＧの数は、サブフレームの種類およびサイクリックプレフィックスの種類に基づいて決定され、４または８である。ＥＰＤＣＣＨの送信方法として、分散送信（Distributed  transmission）および局所送信（Localized  transmission）がサポートされる。
【０１３７】
ＥＰＤＣＣＨは、分散送信または局所送信を用いることができる。分散送信および局所送信は、ＥＲＥＧおよびＲＢペアに対するＥＣＣＥのマッピングが異なる。例えば、分散送信において、１つのＥＣＣＥは、複数のＲＢペアのＥＲＥＧを用いて構成される。局所送信において、１つのＥＣＣＥは、１つのＲＢペアのＥＲＥＧを用いて構成される。
【０１３８】
基地局装置１は、端末装置２に対して、ＥＰＤＣＣＨに関する設定を行う。端末装置２は、基地局装置１からの設定に基づいて、複数のＥＰＤＣＣＨをモニタリングする。端末装置２がＥＰＤＣＣＨをモニタリングするＲＢペアのセットが、設定されうる。そのＲＢペアのセットは、ＥＰＤＣＣＨセットまたはＥＰＤＣＣＨ−ＰＲＢセットとも呼称される。１つの端末装置２に対して、１つ以上のＥＰＤＣＣＨセットが設定できる。各ＥＰＤＣＣＨセットは、１つ以上のＲＢペアで構成される。また、ＥＰＤＣＣＨに関する設定は、ＥＰＤＣＣＨセット毎に個別に行うことができる。
【０１３９】
基地局装置１は、端末装置２に対して、所定数のＥＰＤＣＣＨセットを設定できる。例えば、２つまでのＥＰＤＣＣＨセットが、ＥＰＤＣＣＨセット０および／またはＥＰＤＣＣＨセット１として、設定できる。ＥＰＤＣＣＨセットのそれぞれは、所定数のＲＢペアで構成できる。各ＥＰＤＣＣＨセットは、複数のＥＣＣＥの１つのセットを構成する。１つのＥＰＤＣＣＨセットに構成されるＥＣＣＥの数は、そのＥＰＤＣＣＨセットとして設定されるＲＢペアの数、および、１つのＥＣＣＥに用いられるＥＲＥＧの数に基づいて、決定される。１つのＥＰＤＣＣＨセットに構成されるＥＣＣＥの数がＮである場合、各ＥＰＤＣＣＨセットは、０〜Ｎ−１で番号付けされたＥＣＣＥを構成する。例えば、１つのＥＣＣＥに用いられるＥＲＥＧの数が４である場合、４つのＲＢペアで構成されるＥＰＤＣＣＨセットは１６個のＥＣＣＥを構成する。
【０１４０】
＜本実施形態におけるCAとDCの詳細＞
端末装置２は複数のセルが設定され、マルチキャリア送信を行うことができる。端末装置２が複数のセルを用いる通信は、ＣＡ（キャリアアグリゲーション）またはＤＣ（デュアルコネクティビティ）と称される。本実施形態に記載の内容は、端末装置２に対して設定される複数のセルのそれぞれまたは一部に適用できる。端末装置２に設定されるセルを、サービングセルとも称する。
【０１４１】
ＣＡおいて、設定される複数のサービングセルは、１つのプライマリーセル（PCell:  Primary  Cell）と１つ以上のセカンダリーセル（SCell:  Secondary  Cell）とを含む。ＣＡをサポートしている端末装置２に対して、１つのプライマリーセルと１つ以上のセカンダリーセルが設定されうる。
【０１４２】
プライマリーセルは、初期コネクション構築（initial  connection  establishment）手続きが行なわれたサービングセル、コネクション再構築（connection  re-establishment）手続きを開始したサービングセル、または、ハンドオーバ手続きにおいてプライマリーセルと指示されたセルである。プライマリーセルは、プライマリー周波数でオペレーションする。セカンダリーセルは、コネクションの構築または再構築以降に設定されうる。セカンダリーセルは、セカンダリー周波数でオペレーションする。なお、コネクションは、ＲＲＣコネクションとも称される。
【０１４３】
ＤＣは、少なくとも２つの異なるネットワークポイントから提供される無線リソースを所定の端末装置２が消費するオペレーションである。ネットワークポイントは、マスター基地局装置（MeNB:  Master  eNB）とセカンダリー基地局装置（SeNB:  Secondary  eNB）である。デュアルコネクティビティは、端末装置２が、少なくとも２つのネットワークポイントでＲＲＣ接続を行なうことである。デュアルコネクティビティにおいて、２つのネットワークポイントは、非理想的バックホール（non-ideal  backhaul）によって接続されてもよい。
【０１４４】
ＤＣにおいて、少なくともＳ１−ＭＭＥ（Mobility  Management  Entity）に接続され、コアネットワークのモビリティアンカーの役割を果たす基地局装置１をマスター基地局装置と称される。また、端末装置２に対して追加の無線リソースを提供するマスター基地局装置ではない基地局装置１をセカンダリー基地局装置と称される。マスター基地局装置に関連されるサービングセルのグループは、マスターセルグループ（MCG:  Master  Cell  Group）とも呼称される。セカンダリー基地局装置に関連されるサービングセルのグループは、セカンダリーセルグループ（SCG:  Secondary  Cell  Group）とも呼称される。なお、サービングセルのグループを、セルグループ（ＣＧ）と呼称される。
【０１４５】
ＤＣにおいて、プライマリーセルは、ＭＣＧに属する。また、ＳＣＧにおいて、プライマリーセルに相当するセカンダリーセルをプライマリーセカンダリーセル（PSCell:  Primary  Secondary  Cell）と称する。ＰＳＣｅｌｌ（ｐＳＣｅｌｌを構成する基地局装置）には、ＰＣｅｌｌ（ＰＣｅｌｌを構成する基地局装置）と同等の機能（能力、性能）がサポートされてもよい。また、ＰＳＣｅｌｌには、ＰＣｅｌｌの一部の機能だけがサポートされてもよい。例えば、ＰＳＣｅｌｌには、ＣＳＳまたはＵＳＳとは異なるサーチスペースを用いて、ＰＤＣＣＨ送信を行なう機能がサポートされてもよい。また、ＰＳＣｅｌｌは、常にアクティベーションの状態であってもよい。また、ＰＳＣｅｌｌは、ＰＵＣＣＨを受信できるセルである。
【０１４６】
ＤＣにおいて、無線ベアラ（データ無線ベアラ（DRB:  Date  Radio  Bearer）および／またはシグナリング無線ベアラ（SRB:  Signaling  Radio  Bearer））は、ＭｅＮＢとＳｅＮＢで個別に割り当てられてもよい。ＭＣＧ（ＰＣｅｌｌ）とＳＣＧ（ＰＳＣｅｌｌ）に対して、それぞれ個別にデュプレックスモードが設定されてもよい。ＭＣＧ（ＰＣｅｌｌ）とＳＣＧ（ＰＳＣｅｌｌ）は、互いに同期されなくてもよい。すなわち、ＭＣＧのフレーム境界とＳＣＧのフレーム境界が一致しなくてもよい。ＭＣＧ（ＰＣｅｌｌ）とＳＣＧ（ＰＳＣｅｌｌ）に対して、複数のタイミング調整のためのパラメータ（TAG:  Timing  Advance  Group）が独立に設定されてもよい。デュアルコネクティビティにおいて、端末装置２は、ＭＣＧ内のセルに対応するＵＣＩをＭｅＮＢ（ＰＣｅｌｌ）のみで送信し、ＳＣＧ内のセルに対応するＵＣＩをＳｅＮＢ（ｐＳＣｅｌｌ）のみで送信する。それぞれのＵＣＩの送信において、ＰＵＣＣＨおよび／またはＰＵＳＣＨを用いた送信方法はそれぞれのセルグループで適用される。
【０１４７】
ＰＵＣＣＨおよびＰＢＣＨ（ＭＩＢ）は、ＰＣｅｌｌまたはＰＳＣｅｌｌのみで送信される。また、ＰＲＡＣＨは、ＣＧ内のセル間で複数のＴＡＧ（Timing  Advance  Group）が設定されない限り、ＰＣｅｌｌまたはＰＳＣｅｌｌのみで送信される。
【０１４８】
ＰＣｅｌｌまたはＰＳＣｅｌｌでは、ＳＰＳ（Semi-Persistent  Scheduling）やＤＲＸ（Discontinuous  Transmission）を行ってもよい。セカンダリーセルでは、同じセルグループのＰＣｅｌｌまたはＰＳＣｅｌｌと同じＤＲＸを行ってもよい。
【０１４９】
セカンダリーセルにおいて、ＭＡＣの設定に関する情報／パラメータは、基本的に、同じセルグループのＰＣｅｌｌまたはＰＳＣｅｌｌと共有している。一部のパラメータは、セカンダリーセル毎に設定されてもよい。一部のタイマーやカウンタが、ＰＣｅｌｌまたはＰＳＣｅｌｌのみに対して適用されてもよい。
【０１５０】
ＣＡにおいて、ＴＤＤ方式が適用されるセルとＦＤＤ方式が適用されるセルが集約されてもよい。ＴＤＤが適用されるセルとＦＤＤが適用されるセルとが集約される場合に、ＴＤＤが適用されるセルおよびＦＤＤが適用されるセルのいずれか一方に対して本開示を適用することができる。
【０１５１】
端末装置２は、端末装置２によってＣＡおよび／またはＤＣがサポートされているバンド組み合わせを示す情報（supportedBandCombination）を、基地局装置１に送信する。端末装置２は、バンド組み合わせのそれぞれに対して、異なる複数のバンドにおける前記複数のサービングセルにおける同時送信および受信をサポートしているかどうかを指示する情報を、基地局装置１に送信する。
【０１５２】
＜本実施形態におけるリソース割り当ての詳細＞
基地局装置１は、端末装置２にＰＤＳＣＨおよび／またはＰＵＳＣＨのリソース割り当ての方法として、複数の方法を用いることができる。リソース割り当ての方法は、動的スケジューリング、セミパーシステントスケジューリング、マルチサブフレームスケジューリング、およびクロスサブフレームスケジューリングを含む。
【０１５３】
動的スケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームにおけるＰＤＳＣＨに対するスケジューリングを行う。あるサブフレームにおけるＰＤＣＣＨまたはＥＰＤＣＣＨは、そのサブフレームより後の所定のサブフレームにおけるＰＵＳＣＨに対するスケジューリングを行う。
【０１５４】
マルチサブフレームスケジューリングにおいて、１つのＤＣＩは１つ以上のサブフレームにおけるリソース割り当てを行う。具体的には、あるサブフレームにおけるＰＤＣＣＨまたはＥＰＤＣＣＨは、そのサブフレームより所定数後の１つ以上のサブフレームにおけるＰＤＳＣＨに対するスケジューリングを行う。あるサブフレームにおけるＰＤＣＣＨまたはＥＰＤＣＣＨは、そのサブフレームより所定数後の１つ以上のサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。マルチサブフレームスケジューリングにおいて、連続したサブフレームがスケジューリングされてもよいし、所定の周期を有するサブフレームがスケジューリングされてもよい。スケジューリングされるサブフレームの数は、あらかじめ規定されてもよいし、物理層シグナリングおよび／またはＲＲＣシグナリングに基づいて決められてもよい。
【０１５５】
クロスサブフレームスケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームより所定数後の１つのサブフレームにおけるＰＤＳＣＨに対するスケジューリングを行う。あるサブフレームにおけるＰＤＣＣＨまたはＥＰＤＣＣＨは、そのサブフレームより所定数後の１つのサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。クロスサブフレームスケジューリングにおいて、連続したサブフレームがスケジューリングされてもよいし、所定の周期を有するサブフレームがスケジューリングされてもよい。
【０１５６】
セミパーシステントスケジューリング（ＳＰＳ）において、１つのＤＣＩは１つ以上のサブフレームにおけるリソース割り当てを行う。端末装置２は、ＲＲＣシグナリングによってＳＰＳに関する情報が設定され、ＳＰＳを有効にするためのＰＤＣＣＨまたはＥＰＤＣＣＨを検出した場合、ＳＰＳに関する処理を有効にし、ＳＰＳに関する設定に基づいて所定のＰＤＳＣＨおよび／またはＰＵＳＣＨを受信する。端末装置２は、ＳＰＳが有効である時にＳＰＳをリリースするためのＰＤＣＣＨまたはＥＰＤＣＣＨを検出した場合、ＳＰＳをリリース（無効に）し、所定のＰＤＳＣＨおよび／またはＰＵＳＣＨの受信を止める。ＳＰＳのリリースは、所定の条件を満たした場合に基づいて行ってもよい。例えば、所定数の空送信のデータを受信した場合に、ＳＰＳはリリースされる。ＳＰＳをリリースするためのデータの空送信は、ゼロＭＡＣ  ＳＤＵ（Service  Data  Unit）を含むＭＡＣ  ＰＤＵ（Protocol  Data  Unit）に対応する。
【０１５７】
ＲＲＣシグナリングによるＳＰＳに関する情報は、ＳＰＳのＲＮＴＩであるＳＰＳ  Ｃ−ＲＮＴＩ、ＰＤＳＣＨのスケジューリングされる周期（インターバル）に関する情報、ＰＵＳＣＨのスケジューリングされる周期（インターバル）に関する情報、ＳＰＳをリリースするための設定に関する情報、および／または、ＳＰＳにおけるＨＡＲＱプロセスの番号を含む。ＳＰＳは、プライマリーセルおよび／またはプライマリーセカンダリーセルのみにサポートされる。
【０１５８】
＜本実施形態におけるＮＲのフレーム構成＞
ＮＲでは、物理チャネルおよび／または物理信号を自己完結型送信（self-contained  transmission）によって送信することができる。図１０に、本実施形態における自己完結型送信のフレーム構成の一例を示す。自己完結型送信では、１つの送受信は、先頭から連続する下りリンク送信、ＧＰ、および連続する下りリンク送信の順番で構成される。連続する下りリンク送信には、少なくとも１つの下りリンク制御情報およびＤＭＲＳが含まれる。その下りリンク制御情報は、その連続する下りリンク送信に含まれる下りリンク物理チャネルの受信、またはその連続する上りリンク送信に含まれる上りリンク物理チャネルの送信を指示する。その下りリンク制御情報が下りリンク物理チャネルの受信を指示した場合、端末装置２は、その下りリンク制御情報に基づいてその下りリンク物理チャネルの受信を試みる。そして、端末装置２は、その下りリンク物理チャネルの受信成否（デコード成否）を、ＧＰ後に割り当てられる上りリンク送信に含まれる上りリンク制御チャネルによって送信する。一方で、その下りリンク制御情報が上りリンク物理チャネルの送信を指示した場合、その下りリンク制御情報に基づいて送信される上りリンク物理チャネルを上りリンク送信に含めて送信を行う。このように、下りリンク制御情報によって、上りリンクデータの送信と下りリンクデータの送信を柔軟に切り替えることで、上りリンクと下りリンクのトラヒック比率の増減に即座に対応することができる。また、下りリンクの受信成否を直後の上りリンク送信で通知することで、下りリンクの低遅延通信を実現することができる。
【０１５９】
単位スロット時間は、下りリンク送信、ＧＰ、または上りリンク送信を定義する最小の時間単位である。単位スロット時間は、下りリンク送信、ＧＰ、または上りリンク送信のいずれかのために予約される。単位スロット時間の中に、下りリンク送信と上りリンク送信の両方は含まれない。単位スロット時間は、その単位スロット時間に含まれるＤＭＲＳと関連付けられるチャネルの最小送信時間としてもよい。１つの単位スロット時間は、例えば、ＮＲのサンプリング間隔（Ts）またはシンボル長の整数倍で定義される。
【０１６０】
単位フレーム時間は、スケジューリングで指定される最小時間であってもよい。単位フレーム時間は、トランスポートブロックが送信される最小単位であってもよい。単位スロット時間は、その単位スロット時間に含まれるＤＭＲＳと関連付けられるチャネルの最大送信時間としてもよい。単位フレーム時間は、端末装置２において上りリンク送信電力を決定する単位時間であってもよい。単位フレーム時間は、サブフレームと称されてもよい。単位フレーム時間には、下りリンク送信のみ、上りリンク送信のみ、上りリンク送信と下りリンク送信の組み合わせの３種類のタイプが存在する。１つの単位フレーム時間は、例えば、ＮＲのサンプリング間隔（Ts）、シンボル長、または単位スロット時間の整数倍で定義される。
【０１６１】
送受信時間は、１つの送受信の時間である。１つの送受信と他の送受信との間は、どの物理チャネルおよび物理信号も送信されない時間（ギャップ）で占められる。端末装置２は、異なる送受信間でＣＳＩ測定を平均しなくてもよい。送受信時間は、ＴＴＩと称されてもよい。１つの送受信時間は、例えば、ＮＲのサンプリング間隔（Ts）、シンボル長、単位スロット時間、または単位フレーム時間の整数倍で定義される。
【０１６２】
＜本実施形態におけるＮＲの上りリンクＲＳ＞
ＮＲにおける上りリンクＲＳは、ＮＲ−ＳＲ−ＤＭＲＳ、などがある。
【０１６３】
ＮＲ−ＳＲＳの一例を以下に記載する。なお、明記されない特徴は、ＬＴＥにおけるＳＲＳと同様とみなすことができる。
【０１６４】
ＮＲ−ＳＲＳは、サブフレーム内またはスロット内における最後のシンボルで送信されなくてもよい。例えば、サブフレーム内またはスロット内における最初のシンボルや途中のシンボルで送信されてもよい。
【０１６５】
ＮＲ−ＳＲＳは、複数のシンボルで連続的に送信されてもよい。例えば、サブフレーム内またはスロット内における最後の数シンボルで送信されてもよい。
【０１６６】
ＮＲのアンテナには、デジタルアンテナ構成、アナログアンテナ構成、およびデジタルアンテナ構成とアナログアンテナ構成を複合したハイブリッドアンテナ構成が想定される。
【０１６７】
・デジタルアンテナ構成
デジタルアンテナ構成とは、各アンテナ素子に対してデジタル回路（ベースバンド領域）によってアンテナ重みを制御する構成である。
【０１６８】
図１１は、本実施形態におけるデジタルアンテナ構成の一例を示す概略ブロック図である。図１１では、図８に示した基地局装置１の構成における多重部１０７５、無線送信部１０７７、および送受信アンテナ１０９の内部構成の一例が図示されている。なお、アンテナ構成の説明に不要な処理は省略しているが、図８において説明した処理を行う機能は各部が備えているものとする。
【０１６９】
デジタルアンテナ構成では、多重部１０７５は、プリコーディング部を含んで構成される。このプリコーディング部において、各アンテナ素子に対してアンテナ重みが乗算されることで、ビームが形成される。
【０１７０】
デジタルアンテナ構成では、各アンテナ素子に対して柔軟な位相制御を行うことが可能であり、周波数領域において異なるビームを生成することができる。一方で、構成は複雑である。
【０１７１】
・アナログアンテナ構成
図１２は、本実施形態におけるアナログアンテナ構成の一例を示す概略ブロック図である。図１２では、図１１と同様に、図８に示した基地局装置１の構成における多重部１０７５、無線送信部１０７７、および送受信アンテナ１０９の内部構成の一例が図示されている。なお、アンテナ構成の説明に不要な処理は省略しているが、図８において説明した処理を行う機能は各部が備えているものとする。
【０１７２】
アナログアンテナ構成では、無線送信部１０７７は、位相制御部を含んで構成される。この位相制御部によって、アナログ領域（ＲＦ領域）で位相回転させることで、ビームが形成される。
【０１７３】
アナログ領域で位相を制御するため柔軟なビーム制御は困難であるが、構成は簡素である。一例として、アンテナスイッチイング構成はアナログアンテナ構成の一部である。
【０１７４】
・ハイブリッドアンテナ構成
ハイブリッドアンテナ構成は、デジタルアンテナ構成とアナログアンテナ構成を複合した構成であり、アナログ領域における位相制御素子およびデジタル領域における位相制御素子を併せ持つ。ハイブリッドアンテナ構成は、ビームフォーミングの性能と構成の複雑さに関してデジタルアンテナ構成とアナログアンテナ構成の中間となる特徴を有する。
【０１７５】
＜本実施形態におけるＮＲのビーム運用方式＞
ＮＲにおいて、単一ビーム運用と複数ビーム運用の２種類の方式が想定される。
【０１７６】
・単一ビーム運用
図１３は、本実施形態における単一ビーム運用の一例を説明するための図である。図１３に示した例では、基地局装置１は、セル１１を運用して、セルカバレッジ内に位置する端末装置２と通信する。
【０１７７】
単一ビーム運用は、所定のセルカバレッジに対して１つのビームによって運用される方式である。具体的には、所定のセルカバレッジ内において、セル固有の物理チャネルまたは物理信号は１つのビームによって送信される。ＬＴＥは、単一ビーム運用であるとみなすこともできる。
【０１７８】
・複数ビーム運用
図１４は、本実施形態における複数ビーム運用の一例を説明するための図である。図１４に示した例では、基地局装置１は、複数のビーム１２−１〜１２−５（ビームＩＤ＃１〜＃５）を形成して、各々のビームの照射範囲に位置する端末装置２と通信する。
【０１７９】
複数ビーム運用は、所定のセルカバレッジに対して１つ以上のビームによって運用される方式である。具体的には、セル固有の物理チャネルまたは物理信号は複数のビームによって送信される。
【０１８０】
例えば、アナログビームフォーミングやハイブリッドビームフォーミングでは、所定の時間インスタンスでは所定の方向のビームが送信され、その所定の方向のビーム以外に送信することは困難である。そのため、基地局装置１は、時間インスタンスを切り替えることで、複数の方向にビームが切り替わり、広域をカバーすることができる。すなわち、セル固有の物理チャネルまたは物理信号が送信される所定のビームは、１つの時間インスタンス（時間リソース）で送信される。異なる時間インスタンスでは、異なるビームが送信される。このように、複数ビーム運用では、複数の時間インスタンスで複数のビームを切り替えて運用される。この複数の時間インスタンスで複数のビームを切り替えることは、ビームスイープ（beam  sweep）とも呼称される。
【０１８１】
なお、デジタルアンテナ構成であっても、複数ビーム運用が行われてもよい。
【０１８２】
また、ビームは、チャネルやパス、アンテナ、アンテナポート、などの用語に換言することができる。すなわち、異なるビームを用いた送信は、異なるチャネル、パス、アンテナ、または、アンテナポートを用いた送信であると換言することができる。さらに、ビームは、仮想的なセルとしても、想定することができる。端末装置は、同じセルから送信される異なるビームを異なる仮想セルまたは仮想キャリアとして認識することができる。
【０１８３】
＜本実施形態におけるＮＲの適切なビーム選択＞
ＮＲにおいて、システムは、下りリンクおよび上りリンクのそれぞれ適切なビームを選択することが好ましい。具体的には、基地局装置の下りリンク送信ビームおよび端末装置の下りリンク受信ビームのそれぞれは、適切なビームが選択されることが好ましい。また、端末装置の上りリンク送信ビームおよび基地局装置の上りリンク受信ビームのそれぞれは、適切なビームが選択されることが好ましい。
【０１８４】
基地局装置の適切な下りリンク送信ビームは、受信する端末装置からの報告またはフィードバック情報に基づいて得られることができる。適切な下りリンク送信ビームを得るプロセスの一例を次に示す。基地局装置は、異なる下りリンク送信ビームを用いて所定の既知信号を複数回送信する。端末装置は、その複数回送信された既知信号から、受信強度または受信品質などに基づいて、適切な下りリンク送信ビームを決定し、その適切な下りリンク送信ビームに対応する情報を基地局装置に報告またはフィードバックを行う。これにより、基地局装置は、適切な下りリンク送信ビームを認知することができる。ここで、その既知信号は、ＮＲ−ＳＳ、ＭＲＳ、ＢＲＳ、ＮＲ−ＣＳＩ−ＲＳ、ＮＲ−ＤＭ−ＲＳなどが挙げられる。
【０１８５】
または、基地局装置の適切な下りリンク送信ビームは、基地局装置の適切な上りリンク受信ビームに基づいて得ることができる。
【０１８６】
端末装置の適切な上りリンク送信ビームは、受信する基地局装置からの報告またはフィードバック情報に基づいて得られることができる。適切な上りリンク送信ビームを得るプロセスの一例を次に示す。端末装置は、異なる上りリンク送信ビームを用いて所定の既知信号を複数回送信する。基地局装置は、その複数回送信された既知信号から、受信強度または受信品質などに基づいて、適切な上りリンク送信ビームを決定し、その適切な上りリンク送信ビームに対応する情報を端末装置に報告または通知を行う。これにより、端末装置は、適切な上りリンク送信ビームを認知することができる。ここで、その既知信号は、ＮＲ−ＰＲＡＣＨ、ＮＲ−ＳＲＳ、ＮＲ−ＤＭ−ＲＳなどが挙げられる。
【０１８７】
または、端末装置の適切な上りリンク送信ビームは、端末装置の適切な下りリンク受信ビームに基づいて得ることができる。
【０１８８】
＜アンライセンスチャネルのチャネルアクセスプロシージャ＞
チャネルアクセス（Channel  access、Listen  before  Talk）プロシージャは、基地局装置または端末装置で送信を行うアンライセンスチャネルにアクセスするために行われる。
【０１８９】
チャネルアクセスプロシージャでは、１回または複数回のチャネルのセンシング（sensing）が行われる。そのセンシングの結果に基づいてそのチャネルがアイドル（idle、unoccupied、available、enable）か、またはビジー（busy、occupied、unavailable、disable）かの判定（空き判定）が行われる。チャネルのセンシングでは、所定の待ち時間におけるチャネルの電力がセンス（sense）される。
【０１９０】
チャネルアクセスプロシージャの待ち時間の一例として、第一の待ち時間（スロット）、第二の待ち時間、および、第三の待ち時間（延期期間）、第四の待ち時間、が挙げられる。
【０１９１】
スロット（slot）は、チャネルアクセスプロシージャにおける、基地局装置および端末装置の待ち時間の単位である。スロットは、例えば、９マイクロ秒で定義される。
【０１９２】
第二の待ち時間には、１個のスロットが先頭に挿入されている。第二の待ち時間は、例えば、１６マイクロ秒で定義される。
【０１９３】
延期期間（defer  period）は、第二の待ち時間とその第二の待ち時間に続く複数個の連続したスロットで構成される。その第二の待ち時間に続く複数個の連続したスロットの個数は、QoSを満たすために用いられる優先クラス（priority  class）に基づいて決定される。
【０１９４】
第四の待ち時間は、第二の待ち時間とその後に続く１つのスロットによって構成される。
【０１９５】
基地局装置または端末装置は、所定のスロットの期間に所定のチャネルをセンス（sense）する。その基地局装置または端末装置がその所定のスロット期間内の少なくとも４マイクロ秒に対して検出した電力が所定の電力検出閾値よりも小さい場合、その所定のスロットはアイドル（idle）であるとみなされる。一方で、その電力が所定の電力検出閾値よりも大きい場合、その所定のスロットはビジー（busy）であるとみなされる。
チャネルアクセスプロシージャには、第一のチャネルアクセスプロシージャと第二のチャネルアクセスプロシージャがある。第一のチャネルアクセスプロシージャは、第一のチャネルアクセスプロシージャは、複数個のスロットおよび延期期間を用いて行われる。第二のチャネルアクセスプロシージャは、１つの第四の待ち時間を用いて行われる。
【０１９６】
＜第一のチャネルアクセスプロシージャの詳細＞
第一のチャネルアクセスプロシージャにおいて、以下に記した手順が行われる。
【０１９７】
（０）延期期間においてチャネルのセンシングが行われる。延期期間内のスロットにおいてチャネルがアイドルであった場合、（１）のステップに進み、そうでなければ、（６）のステップに進む。
【０１９８】
（１）カウンタの初期値を取得する。そのカウンタの初期値が取り得る値は、０から衝突窓ＣＷまでの間の整数である。そのカウンタの初期値は、一様分布に従ってランダムに決定される。カウンタＮにカウンタの初期値がセットされ、（２）のステップに進む。
【０１９９】
（２）カウンタＮが０よりも大きく、かつ、そのカウンタＮの減算を行うことが選択された場合、カウンタＮから１が減算される。その後、（３）のステップに進む。
【０２００】
（３）スロットの期間を追加して待機される。また、その追加のスロットにおいて、チャネルがセンスされる。その追加のスロットがアイドルであった場合は、（４）のステップに進み、そうでなければ、（５）のステップに進む。
【０２０１】
（４）カウンタＮが０であった場合、このプロシージャを停止する。そうでなければ、（２）のステップに進む。
【０２０２】
（５）延期期間を追加して待機される。また、その追加の延期期間に含まれるいずれか１つのスロットでビジーと検出されるまで、または、その追加の延期期間に含まれる全てのスロットがアイドルであると検出できるまで、チャネルはセンスされる。その後、（６）のステップに進む。
【０２０３】
（６）チャネルがその追加の延期期間に含まれるスロットの全てでアイドルであるとセンスされた場合、（４）のステップに進み、そうでなければ、（５）のステップに進む。
【０２０４】
上記のプロシージャにおける（４）のステップの停止後、そのチャネルにおいて、ＰＤＳＣＨやＰＵＳＣＨなどデータを含む送信が行われる。
【０２０５】
なお、上記のプロシージャにおける（４）のステップの停止後、そのチャネルにおいて、送信が行われなくてもよい。この場合、その後、送信直前にスロットおよび延期期間の全てにおいて、チャネルがアイドルであった場合に、上記のプロシージャを行わずに送信が行われてもよい。一方で、そのスロットおよびその延期期間のいずれかにおいて、チャネルがアイドルでなかった場合に、追加の延期期間内のスロットの全てでチャネルがアイドルであるとセンシングされた後、上記のプロシージャの（１）のステップに進む。
【０２０６】
＜第二のチャネルアクセスプロシージャの詳細＞
第二のチャネルアクセスプロシージャにおいて、少なくとも第四の待ち時間のセンシングの結果、チャネルがアイドルであるとみなされた直後、送信は行われてもよい。一方で、少なくとも第四の待ち時間のセンシングの結果、チャネルがアイドルでないとみなされた場合は、送信は行われない。
【０２０７】
＜衝突窓適応プロシージャ＞
第一のチャネルアクセスプロシージャで用いられる衝突窓ＣＷ（contention  window）は、衝突窓適応プロシージャに基づいて決定される。
【０２０８】
衝突窓ＣＷの値は、優先クラスごとに保持される。また、衝突窓ＣＷは、最小衝突窓と最大衝突窓の間の値を取る。その最小衝突窓およびその最大衝突窓は、優先クラスに基づいて決定される。
【０２０９】
衝突窓ＣＷの値の調整は、第一のチャネルアクセスプロシージャの（１）のステップの前に行われる。少なくとも衝突窓適応プロシージャにおける参照サブフレームまたは参照ＨＡＲＱプロセスの共用チャネルに対応するＨＡＲＱ応答でＮＡＣＫの割合が閾値よりも高い場合、衝突窓ＣＷの値を増加させ、そうでなければ、衝突窓ＣＷの値を最小衝突窓に設定する。
【０２１０】
衝突窓ＣＷの値の増加は、例えば、ＣＷ＝２・(ＣＷ＋１)−１の式に基づいて行われる。
【０２１１】
＜下りリンクにおけるチャネルアクセスプロシージャの詳細＞
アンライセンスチャネルにおいて、ＰＤＳＣＨ、ＰＤＣＣＨ、および／または、ＥＰＤＣＣＨを含んだ下りリンク送信を行う場合、基地局装置は第一のチャネルアクセスプロシージャに基づいて、そのチャネルにアクセスし、その下りリンク送信を行う。
【０２１２】
一方で、アンライセンスチャネルにおいて、ＤＲＳを含むがＰＤＳＣＨを含まない下りリンク送信を行う場合、基地局装置は第二のチャネルアクセスプロシージャに基づいて、そのチャネルにアクセスし、その下りリンク送信を行う。なお、その下りリンク送信の期間は、１ミリ秒よりも小さいことが好ましい。
【０２１３】
＜上りリンクにおけるチャネルアクセスプロシージャの詳細＞
アンライセンスチャネルにおいて、ＰＵＳＣＨをスケジュールする上りリンクグラントで第一のチャネルアクセスプロシージャを行うことを指示された場合、端末装置はそのＰＵＳＣＨを含んだ上りリンク送信の前に第一のチャネルアクセスプロシージャを行う。
【０２１４】
また、ＰＵＳＣＨをスケジュールする上りリンクグラントで第二のチャネルアクセスプロシージャを行うことを指示された場合、端末装置はそのＰＵＳＣＨを含んだ上りリンク送信の前に第二のチャネルアクセスプロシージャを行う。
【０２１５】
また、ＰＵＳＣＨは含まないがＳＲＳは含む上りリンク送信に対しては、端末装置はその上りリンク送信の前に第二のチャネルアクセスプロシージャを行う。
【０２１６】
また、上りリンクグラントで指示された上りリンク送信の末尾が上りリンク期間（UL  duration）内であった場合、その上りリンクグラントで指示されたプロシージャタイプにかかわらず、端末装置はその上りリンク送信の前に第二のチャネルアクセスプロシージャを行う。
【０２１７】
また、基地局からの下りリンク送信終了後に第四の待ち時間を挟んで上りリンク送信が続く場合、端末装置はその上りリンク送信の前に第二のチャネルアクセスプロシージャを行う。
【０２１８】
＜本実施形態におけるＮＲのチャネルアクセスプロシージャ＞
ＮＲを用いたアンライセンスチャネルでのチャネルアクセスプロシージャでは、ビームフォームされていないチャネルセンシングとビームフォームされたチャネルセンシングが行われる。
【０２１９】
ビームフォームされていないチャネルセンシングは、指向性が制御されない受信によるチャネルセンシング、または、方向の情報を持たないチャネルセンシングである。方向の情報を持たないチャネルセンシングとは、例えば、全方位で測定結果を平均化されたチャネルセンシングである。送信局は、チャネルセンシングで用いられた指向性（角度、方向）を認知しなくてもよい。
【０２２０】
ビームフォームされたチャネルセンシングは、指向性が制御された受信によるチャネルセンシング、または、方向の情報を持つチャネルセンシングである。すなわち、受信ビームが所定の方向に向けられたチャネルセンシングである。ビームフォームされたチャネルセンシングを行う機能を有する送信局は、異なる指向性を用いた１回以上のチャネルセンシングを行うことができる。
【０２２１】
ビームフォームされたチャネルセンシングを行うことで、センシングによって検出されるエリアを狭める。これにより、送信局は、干渉を与えない通信リンクの検出の頻度を減らし、さらし端末問題を軽減することができる。
【０２２２】
以下に、ビームフォームされていないチャネルセンシングとビームフォームされたチャネルセンシングの違いを列挙する。
【０２２３】
ビームフォームされていないチャネルセンシングとビームフォームされたチャネルセンシングは、適用される帯域が異なる。ビームフォームされていないチャネルセンシングは、あらゆる周波数共用帯域で適用される。ビームフォームされたチャネルセンシングは、６０ＧＨｚ帯などの、主に６ＧＨｚ帯以上の周波数共用帯域で適用される。
【０２２４】
ビームフォームされていないチャネルセンシングとビームフォームされたチャネルセンシングは、チャネルアクセス権取得後の送信が異なる。ビームフォームされていないチャネルセンシングは、送信局はブロードキャスト送信、または、ビームフォームされていないユニキャスト送信を行う前にビームフォームされていないチャネルセンシングを行う。ビームフォームされたチャネルセンシングは、送信局は、ビームフォームされたユニキャスト送信を行う前にビームフォーミングされたチャネルセンシングを行う。
【０２２５】
ビームフォームされていないチャネルセンシングとビームフォームされたチャネルセンシングは、センシングの電力検出閾値が異なる。ビームフォームされていないチャネルセンシングは、電力検出閾値が低い。ビームフォームされたチャネルセンシングは、電力検出閾値が高い。
【０２２６】
＜本実施形態におけるＲＲＭ測定＞
ＲＲＭ（Radio  Resource  Management）測定の情報は、ハンドオーバや無線リソース制御などを決定する際に用いられる。
【０２２７】
ＲＲＭ測定は基地局装置および端末装置で行われる。端末装置で測定されたＲＲＭ測定の測定結果は、基地局装置に報告される。
【０２２８】
ＲＲＭ測定では、基地局装置と端末装置間の信号電力強度や通信品質が測定される。具体的には、ＲＳＲＰ（Reference  Signal  Received  Power）、ＲＳＲＱ（Reference  Signal  Received  Quality）、ＲＳＳＩ（Received  Signal  Strength  Indicator）、ＳＩＮＲ（Signal  to  Interference  plus  Noise  Ratio）などが、測定される。ＲＳＲＰは、主に、基地局装置からの通信品質の判断やパスロスの測定などに用いられる。ＲＳＲＱやＳＩＮＲは、主に、基地局装置との通信品質の判断などに用いられる。ＲＳＳＩは、主に、その無線リソースでの干渉の測定などに用いられる。
【０２２９】
ＲＳＲＰは、所定の参照信号の受信電力である。所定の参照信号は、例えば、ＳＳＳ、ＰＢＣＨに関連するＤＭＲＳ、所定のアンテナポートで送信されるＣＳＩ−ＲＳなどである。ＲＳＲＰは、例えば、１つのリソースエレメントの受信電力として定義される。
【０２３０】
ＲＳＳＩは、所定の期間で測定された総受信電力の平均電力である。ＲＳＳＩは、サービングセルや非サービングセル、隣接チャネル干渉、熱雑音など、全ての受信された電力を含む。ＲＳＳＩは、１ＯＦＤＭシンボルの受信電力として定義される。
【０２３１】
ＲＳＲＱは、ＲＳＲＰとＲＳＳＩの比として定義される。具体的には、ＲＳＲＱは、ＲＳＲＰをＲＳＳＩで除算した値である。なお、ＲＳＲＱは、前述した値に、ＲＳＳＩが測定されたリソースブロック数やリソースエレメント数などを乗算した値として定義されてもよい。
【０２３２】
ＳＩＮＲは、所定の基地局装置からの受信電力と、その所定の基地局装置以外からの受信電力の比として定義される。
【０２３３】
＜本実施形態におけるＣＳＩ測定＞
ＣＳＩ（Channel  State  Information）測定の情報は、リソースのスケジューリングや物理チャネルのＭＣＳ（Modulation  and  Coding  Scheme）などを決定する際に用いられる。
【０２３４】
ＣＳＩ測定は、端末装置で行われる。端末装置で測定されたＣＳＩ測定の測定結果は、基地局装置にフィードバックされる。
【０２３５】
ＣＳＩは、ＣＳＩ−ＲＳから測定される。端末装置は、ＣＳＩ−ＲＳの受信品質から基地局装置と端末装置間のチャネルを推定し、ＣＳＩを計算する。
【０２３６】
ＣＳＩ測定では、チャネル品質やプリコーディングおよび／またはビーム、ＭＩＭＯレイヤ、などが測定される。具体的には、ＣＱＩ（Channel  Quality  Indicator）、ＰＭＩ（Precoding  Matrix  Indicator）、ＲＩ（Rank  Indicator）、ＣＲＩ（CSI-RS  resource  indicator）などのフィードバック情報がＣＳＩ測定によって生成される。
【０２３７】
ＣＱＩは、所定のレイヤに対するチャネル品質に関する情報である。ＣＱＩは、変調方式と符号化率の組み合わせで定義される。端末装置は、所定のターゲット誤り率（例えば１０％）を満たすＭＣＳに相当するＣＱＩを計算し、基地局装置にフィードバックする。基地局装置は、フィードバックされたＣＱＩに基づいて物理チャネルのＭＣＳを決定する。
【０２３８】
ＰＭＩは、プリコーディングマトリックスに関する情報である。端末装置は、相応しいプリコーディングマトリックスを指定するＰＭＩを計算し、基地局装置にフィードバックする。基地局装置は、フィードバックされたＰＭＩに基づいて物理チャネルの送信に用いられるプリコーディングマトリックスを決定する。
【０２３９】
ＲＩは、チャネルのランクに関する情報である。端末装置は、通信可能なランクを指定するＲＩを計算し、基地局装置にフィードバックする。基地局装置は、フィードバックされたＲＩに基づいて物理チャネルのレイヤ数を決定する。
【０２４０】
ＣＲＩは、ＣＳＩ−ＲＳリソースに関する情報である。ＣＲＩは、所定のビームに関する情報と見做すことができる。
【０２４１】
ＣＳＩ測定では、ＣＳＩプロセスと称される単位で管理および制御される。各ＣＳＩプロセスには、測定する信号のリソースと測定する干渉のリソースをそれぞれ設定することができる。これにより、様々な環境におけるＣＳＩを測定することができる。例えば、それぞれのＣＳＩプロセスに異なる基地局装置から送信される参照信号のリソースをそれぞれ設定することで、セルの接続切り替え無しで異なる基地局装置とのＣＳＩを測定することができる。例えば、それぞれのＣＳＩプロセスに異なる干渉状態のリソースをそれぞれ設定することで、ＣｏＭＰ（Coordinated  Multiple  Point  transmission）におけるＣＳＩを測定することができる。
【０２４２】
＜＜２．技術的特徴＞＞
続いて、本開示の実施の形態に係る技術的特徴を説明する。
【０２４３】
送信局が測定するＬＢＴ（Listen  Before  Talk）だけでは、受信局が干渉を受けているのか、受けていないかを正確に判断できない。特に、以下の２つの問題が挙げられる。１つは隠れ端末問題（hidden  node  problem）である。この隠れ端末問題は、送信局が、干渉を与える他の通信リンクを検知できず、送信を開始する問題である。送信局が、干渉を与える他の通信リンクを検知できず、送信を開始した結果、通信リンクが衝突し、他の通信リンクに大きな干渉を与えてしまうことになる。もう１つはさらし端末問題（expose  node  problem）である。さらし端末問題は、送信局が、干渉を与えない他の通信リンクを検知してしまい、送信を停止する問題である。送信局が、干渉を与えない他の通信リンクを検知してしまい、送信を停止した結果、空間リユースが下がり、システム効率が低下してしまう。
【０２４４】
既存の通信システムにおいては、送信局と受信局との間の通信品質の測定として、ＲＲＭ（Radio  Resource  Management）測定やＣＳＩ（Channel  State  Information）測定が行われている。しかし、既存の通信システムにおいては、端末における測定では、基本的に全方位から受信電力を測定する動作のみである。
【０２４５】
そこで本件開示者は、上述した点に鑑み、受信局が干渉を受けているのか、受けていないかを送信局が正確に判断することが可能な技術について鋭意検討を行った。その結果、本件開示者は、以下で説明するように、受信局において受信電力の他に、方向に関する情報も測定することで、受信局が干渉を受けているのか、受けていないかを送信局が正確に判断することが可能な技術を考案するに至った。
【０２４６】
具体的には、本実施形態に係る受信局（端末装置２）は、受信電力の他に、方向に関する情報も測定する。すなわち、受信局は、どの方向からどれぐらいの強度の電波が飛んできているかを測定する。そして受信局は、その測定結果を本実施形態に係る送信局（基地局装置１または端末装置２）にフィードバックする。本実施形態に係る送信局は、受信局からのフィードバックにより、受信局はどの方向からの干渉が強いのか、または弱いのかを把握することが出来る。
【０２４７】
本実施形態に係る送信局は、測定結果に基づいて、少なくとも２つの以下の処理を行うことができる。１つ目は、ビームリンクペア（BLP、送信ビームと受信ビームの組み合わせ）の切り替えを行うことである。具体例として、所定のビームリンクペアで送信した時に、他の通信リンクからの与干渉が大きいと隣接ノードからの報告があった場合、本実施形態に係る送信局は、与干渉量の少ないビームリンクペアに切り替えることで送信ビームの方向を変える。これにより、本実施形態に係る送信局は、与干渉を低減することができ、隠れ端末問題の影響を少なくすることが可能となる。２つ目は、ＬＢＴで所定の送信局からの送信を検知したとしても、無視することである。具体例として、送信局が隣接ノードからのＲＳの検出などで送信を検知でき、かつ、その隣接ノードの所定のビームからの干渉は少ないと報告を受けた場合、本実施形態に係る送信局は、その隣接ノードは電力検出されていないものとして、ＬＢＴを行う。これにより、本実施形態に係る送信局は、ビジーと判断することなく送信可能となる。すなわち本実施形態に係る送信局は、不要な送信機会の低減がなくなり、さらし端末問題を解決することが可能となる。
【０２４８】
図１５、図１６は、基地局装置が端末装置を検出可能なセンシング領域と、そのセンシング領域に存在する端末装置が受信するビームとを示す説明図である。これらの図では、基地局装置＃１と端末装置＃１とがリンクしており、基地局装置＃２と端末装置＃２とがリンクしているとする。
【０２４９】
図１５は、端末装置＃１と端末装置＃２とが隣接しており、端末装置＃１が基地局装置＃１からのビームだけでなく、基地局装置＃２からのビームを受けている様子が示されている。このような状態では、端末装置＃１はどの方向からのビームを受けているかを検出し、その結果を基地局装置＃１に送信する。基地局装置＃１は、端末装置＃１からのフィードバックを受けて、干渉の少ない方向にビームを切り替えることができる。
【０２５０】
図１６は、端末装置＃１と端末装置＃２とが隣接しておらず、端末装置＃１が基地局装置＃１からのビームだけを受け、端末装置＃２が基地局装置＃２からのビームだけを受けている様子が示されている。このような場合にもし上述のさらし端末問題が起きると、基地局装置＃１は、基地局装置＃２からのビームが端末装置＃１にとって干渉になっていないにも関わらず、基地局装置＃２からのビームの検知により送信を停止してしまう。しかし、基地局装置＃１は、端末装置＃１からのフィードバックを受けて、端末装置＃１が他のビームを受けていないことを把握すると、ビジーと判断することなく送信を継続することができる。
【０２５１】
方向に関する情報の種類として、例えば角度や、受信ビームがある。端末装置２は、例えば、所定の参照信号のAoA（Angle  of  Arrival）を推定することで、角度情報を得ることができる。受信ビームの方向と角度を紐付けることができる場合は、端末装置２は、その受信ビームで受けた電力は対応する角度の受信電力とする。なお、平面だけでなく高さ方向にも振れる場合は、端末装置２は、受信ビームの方向を２種類の角度で紐付けてもよい。
【０２５２】
また端末装置２は、例えば、ある受信ビームで受信した電力は、その受信ビームで受信したことを通知する。端末装置２が受信するビームは方向が定められているため、角度の情報を有することと同等となる。
【０２５３】
端末装置２が送信局へフィードバックする際のフォーマットには、角度や受信ビームの情報が含まれていてもよい。角度の情報は絶対方位であってもよく、相対方位であってもよい。絶対方位である場合、例えば、所定の方位（東西南北のいずれか）を０度としてもよい。方位の情報は、端末装置２に内蔵される、方位を測定するセンサの値が用いられてもよい。相対方位である場合、端末装置２の所定の向きを０度としてもよく、サービングセルの方向を０度としてもよい。またネットワークから指示されたビームリンクペアを作る受信ビームのメインローブの方向を０度としてもよい。サービングセルの方向を０度とする場合、端末装置２は、通知された送信局の位置情報と測定された端末装置２の位置情報の関係からサービングセルの方向を算出してもよい。また端末装置２は、そのサービングセルに対する最適なビームリンクペアを作る受信ビームのメインローブの方向を０度としてもよい。
【０２５４】
端末装置２が受信ビームの情報を送信局へ報告する際には、所定の受信ビームで受信した電力値とその受信ビームに関するインデックスをセットで報告する。その際、端末装置２は、ビームリンクペア、受信ビームインデックス、アンテナ（アンテナポート）、プリコーダインデックスの情報を含んでもよい。ビームリンクペアの情報を通知する場合、端末装置２は、送信ビームに紐付けて、対応する受信ビームの受信電力を通知してもよく、ビームリンクペアに紐付けて受信ビームを通知してもよい。ビームリンクペアの情報を通知する場合、端末装置２は、ビームリンクペアインデックスを通知しても良い。また、各アンテナポートからは、それぞれ異なるビームで参照信号が送信される。送信局が基地局装置１であれば、ＣＳＩ−ＲＳアンテナポートから、送信局が端末装置２であれば、ＳＲＳアンテナポートから、それぞれ参照信号が送信される。端末装置２は、そのアンテナポートに対応する最適受信ビームで受信した電力を送信局に報告する。受信ビームインデックスの情報を通知する場合、端末装置２は、異なる方向へ向けた受信ビームを離散化した値で定義したものを送信局へ通知する。アンテナ（アンテナポート）の情報を通知する場合、端末装置２は、アンテナを示すインデックスを用いる。プリコーダインデックスの情報を通知する場合、端末装置２は、デジタルビームフォーミングの場合で、送信のビームと受信のビームが同じ構成であれば、受信ビームを構成するのに用いたプリコーダマトリックスのインデックスを用いる。
【０２５５】
図１７、１８は、端末装置２が報告する方向に関する情報について示す説明図である。例えば図１７のように、９０度刻みで４つの方向が規定されてもよく。図１８のように、ビームの到来方向に対応する形で４つの方向が規定されてもよい。方向の数は図１７や図１８に示したものに限定されないことは言うまでもない。
【０２５６】
続いて端末装置２による方向の測定の設定について説明する。方向の測定の設定には、測定タイミング設定、方向の数や角度の粒度、平均化フィルタ係数（L3  filter  coefficient）、測定するＲＳのリスト（ＲＳＲＰを測定する場合）、などがある。
【０２５７】
測定タイミング設定には、例えば、測定する周期、区間、開始サブフレームの設定が含まれうる。測定タイミング設定は、方向毎に個別に設定が可能であってもよく、方向間で共通の測定タイミングが設定されてもよい。また、方向の数や角度の粒度が設定されることで、端末装置２が測定する数が設定される。また平均化フィルタ係数についても、方向毎に個別に設定が可能であってもよい。例えば、BLPに用いられる受信ビームとその他の受信ビームとで平均化フィルタ係数が異なってもよい。
【０２５８】
ＲＳＲＰを測定する場合については測定する参照信号のリストも設定の対象となる。この場合、参照信号を識別するための情報がリスト化されて設定される。参照信号を識別するための情報には、例えば、リソース情報（リソースエレメントマッピング設定、サブフレームなど）、参照信号系列のスクランブルに関する情報（系列の初期値など）、アンテナポート、セル識別子（ＩＤ、identifier）等が含まれうる。
【０２５９】
送信局から方向の測定の設定がされなかった場合、端末装置２は、方向に関する測定を行わないようにしてもよい。また方向の測定の設定がされなかった場合、端末装置２は、予め設定されたデフォルトの設定値に基づいて方向に関する測定を行うようにしてもよい。デフォルトの設定値としては、例えば、予め端末装置２に設けられた受信ビームにより測定する、というものもでもよい。また、デフォルトの設定値は、バンドの周波数帯によって変化してもよい。例えば対象が、中心周波数が所定の周波数以上、例えば６ＧＨｚ以上のバンドであれば、端末装置２は２本の受信ビームで測定を行い、その所定の周波数未満、例えば、中心周波数６ＧＨｚ未満のバンドであれば、端末装置２は方向の測定は行わないとしてもよい。
【０２６０】
端末装置２は、受信電力を測定するタイミングとして、測定タイミング設定で指示された区間で測定してもよく、測定タイミング設定で指示された区間で、かつ、サブフレームが下りリンクと指示された区間で測定してもよく、ＤＣＩ（ＰＤＣＣＨ）で指示されたタイミング及び区間で測定してもよい。
【０２６１】
端末装置２が送信局へ報告する情報の具体例を示す。端末装置２は、送信局へ報告する情報として、例えば方向ごとの平均電力値（ＲＳＳＩ）、ＲＳＲＱ、またはＳＩＮＲ（Signal  to  Interference  plus  Noise  Ratio）を報告する。端末装置２は、送信局へは全ての方向の情報を報告しなくてもよい。例えば、測定の結果、所定の閾値よりも低い測定結果であった場合は、端末装置２は、送信局へ情報を返さなくてもよい。換言すると、端末装置２は、所定の閾値よりも高い測定結果である方向のみ情報を報告する。基地局装置１は、情報を受信した際に、情報を受け取らなかった方向の測定の結果は所定の閾値以下であると認識する。これにより、報告に要する通信オーバーヘッドを削減することができる。図１９は、端末装置２が測定した方向毎の平均電力の情報の例を示す説明図である。端末装置２は、このような方向毎の平均電力の情報を送信局へ報告する。
【０２６２】
端末装置２は、送信局へ報告する情報として、例えば方向毎のヒストグラムを報告する。方向毎のヒストグラムを報告する際、端末装置２は、測定区間のうちの所定の区間における受信電力（ＲＳＳＩ）が閾値よりも上回った回数を報告する。その所定の区間は、測定区間よりも細かい区間（例えば、サブフレームやスロット）で区切られる。図２０は、測定区間のうちの所定の区間における受信電力（ＲＳＳＩ）が閾値よりも上回った回数を方向毎に算出した例を示す説明図である。図２０では、測定区間のうちの所定の区間における受信電力（ＲＳＳＩ）が閾値よりも上回った回数を「チャネル占有割合」という指標で示している。端末装置２は、このような方向毎のチャネル占有割合の情報を送信局へ報告する。なお、図２０は、閾値が１つ設定された一例に過ぎず、複数の閾値が設定されてもよい。
【０２６３】
端末装置２が送信局へ情報を報告する方法の具体例を示す。端末装置２は、測定結果をＰＵＳＣＨに含めて基地局装置へ報告する。端末装置２は、周期的に送信局へ報告してもよく、所定のトリガが発生したタイミングで送信局へ報告してもよく、送信局からの指示に応じて送信局へ報告してもよい。周期的に送信局へ報告する場合、その周期は送信局から指示されてもよく、デフォルトの設定値が用いられてもよい。所定のトリガが発生したタイミングで送信局へ報告する場合、その所定のトリガとしては、例えば測定結果が閾値を上回った、または、下回った場合であってもよい。また送信局からの指示に応じて送信局へ報告する場合、その指示は、例えばＤＣＩ（ＰＵＣＣＨ）で行われても良い。報告と報告との間に所定の間隔を設定することができる。換言すると、端末装置２は、報告後、所定の期間が過ぎるまで、条件を満たした場合であっても、基地局装置１へ次の報告を行わない。また端末装置２は、所定の周期で、かつ、所定の条件を満たした場合に、基地局装置１へ報告するようにしてもよい。端末装置２が送信局へ報告する情報のフォーマットは、ＲＳＲＰ、ＲＳＲＱ、ＲＳＳＩがそれぞれ個別のフォーマットであっても、ＲＳＲＰとＲＳＳＩの組み合わせやＲＳＲＰとＲＳＲＱの組み合わせであってもよい。この際、ＲＳＲＰは１つの値に対し、ＲＳＳＩまたはＲＳＲＱは方向の情報を含んだ複数の値であってもよい。例えば、端末装置２は、ビームリンクペアに対応する１つのＲＳＲＰと、設定された方向で測定された複数のＲＳＳＩまたはＲＳＲＱを報告する。
【０２６４】
端末装置２は、送信局へ情報を報告する際に、平均化フィルタ係数を用いて測定値の平均化を行う。端末装置２は、測定を行っている際、端末装置２の位置および向きが大きく変わっていない場合、例えば位置の変化が所定の範囲に、また、向きの変化が所定の角度の範囲内に収まっていれば、平均化し続ける。端末装置２は、測定を行っている際、端末装置２の向きが大きく変わったとしても、方位の基準を認識できる場合は、平均化し続ける。一方、端末装置２の位置が大きく変わった場合、端末装置２の向きが大きく変わり、端末装置２が方位の基準を認識できていない場合は、端末装置２は、平均化を行わず、それまでの測定値をリセットする。なお、位置が大きく変わった場合とは、端末装置２において所定の距離の移動を検知した場合である。なお、向きが大きく変わった場合とは、端末装置２において所定の角度の変化を検知した場合である。
【０２６５】
端末装置２は、送信局へ情報を報告する際に、端末装置２のケイパビリティ、例えば実装されているアンテナの本数やビームの構成などの情報をフィードバックしてもよい。送信局は、端末装置２からのフィードバックを受けて、その端末装置２に対する測定の際の方向、数、角度の粒度や、測定の際の方向の基準等を設定することが出来る。端末装置２は、フィードバックするケイパビリティに関する情報として、アンテナ本数、アンテナの形状、メインビームのローブ幅、ビームが振れる方向、構成可能な最大ビーム数、三次元方向にビームが振れるか否か、などの情報の中から少なくともいずれかの情報を、送信局にフィードバックしてもよい。端末装置２は、アンテナの形状をフィードバックする際には、少なくとも１本が指向性を持つか否か（例えば、ダイポールアンテナなのかパネルアンテナなのか）の情報をフィードバックしてもよい。また端末装置２は、ビームが振れる方向をフィードバックする際には、異なるビーム間の感覚、例えば異なるビーム間の角度差の情報をフィードバックしてもよい。
【０２６６】
図２１は、本開示の実施の形態に係る基地局装置１及び端末装置２の動作例をシーケンス図で示す説明図である。図２１に示したのは、端末装置２がＲＲＭ測定を行う際の基地局装置１及び端末装置２の動作例である。
【０２６７】
端末装置２は、ＲＲＭ測定に関するケイパビリティ情報を基地局装置１に送信する（ステップＳ１０１）。基地局装置１は、ＲＲＭ測定に関するケイパビリティ情報から、端末装置にＲＲＭ測定の設定を行う（ステップＳ１０２）。
【０２６８】
端末装置２は、基地局装置１から受信したＲＲＭ測定の設定に基づいて、ＲＲＭ測定を行う（ステップＳ１０３）。ここでのＲＲＭ測定は、上述したような受信ビーム毎の測定である。そして端末装置２は、ステップＳ１０３でのＲＲＭ測定の結果を基地局装置１へ報告する（ステップＳ１０４）。基地局装置１は、端末装置２から受けたＲＲＭ測定の測定結果に基づいて、ビームを含む通信リソースを決定し（ステップＳ１０５）、端末装置２とのデータ通信を開始する（ステップＳ１０６）。ここでの通信リソースの決定には、ビームの方向の決定も含まれる。
【０２６９】
端末装置２からＲＲＭ測定の測定結果の報告を受けた基地局装置１は、Ｘ２インタフェースやＸｎインタフェースなどで接続される他の隣接基地局装置１に転送することができる。これにより、基地局装置間で協調リソース制御を行うことができる。図２２は、本開示の実施の形態に係る基地局装置１及び端末装置２の動作例をシーケンス図で示す説明図である。図２２に示したのは、端末装置２がＲＲＭ測定を行う際の基地局装置１及び端末装置２の動作例である。図２２には、基地局装置１の隣接基地局である、別の基地局装置１の動作についても示している。
【０２７０】
基地局装置１の隣接基地局である、別の基地局装置１は、端末装置２から受けたＲＲＭ測定の測定結果を転送する（ステップＳ１１１）。基地局装置間の情報の内容は、測定の結果をそのまま転送しても良く、測定の結果を加工して転送しても良い。測定の結果をそのまま転送する場合、情報量が多いので、基地局装置１は、精度の高いリソース制御が可能となる。測定の結果を加工して、すなわち測定の結果の一部のみを転送する場合、基地局装置間の情報量を低減させることが可能となる。測定の結果を加工する場合は、情報を転送する対象である隣接基地局装置から干渉を強く受ける方向のみを転送してもよく、基地局装置が通信を行いたい方向の情報を転送してもよい。また、隣接基地局は、ＲＲＭ測定を行った端末装置２の位置情報も付随して基地局装置１へ転送しても良い。
【０２７１】
基地局装置１は、隣接基地局からＲＲＭ測定の測定結果を受けると、隣接基地局からのＲＲＭ測定の結果に基づいて、ビームを含んだ通信リソースを決定し（ステップＳ１１２）、端末装置２とのデータ通信を開始する（ステップＳ１１３）。
【０２７２】
基地局装置１は、隣接基地局へＲＲＭ測定の測定結果を要求してもよい。隣接基地局は、別の基地局装置１からの要求を受けて、ＲＲＭ測定の測定結果を転送する。図２３は、本開示の実施の形態に係る基地局装置１及び端末装置２の動作例をシーケンス図で示す説明図である。図２３に示したのは、端末装置２がＲＲＭ測定を行う際の基地局装置１及び端末装置２の動作例である。図２３には、基地局装置１の隣接基地局である、別の基地局装置１の動作についても示している。
【０２７３】
基地局装置１は、隣接基地局に対して、ＲＲＭ測定の測定結果の転送を要求する（ステップＳ１２１）。基地局装置１の隣接基地局である、別の基地局装置１は、ステップＳ１２１の要求に応じ、端末装置２から受けたＲＲＭ測定の測定結果を転送する（ステップＳ１２２）。上述したように、基地局装置間の情報の内容は、測定の結果をそのまま転送しても良く、測定の結果を加工して転送しても良い。また上述したように、隣接基地局は、ＲＲＭ測定を行った端末装置２の位置情報も付随して基地局装置１へ転送しても良い。
【０２７４】
基地局装置１は、隣接基地局からＲＲＭ測定の測定結果を受けると、隣接基地局からのＲＲＭ測定の結果に基づいて、ビームを含んだ通信リソースを決定し（ステップＳ１２３）、端末装置２とのデータ通信を開始する（ステップＳ１２４）。
【０２７５】
更に、方向情報を含む測定はＣＳＩにも適用することができる。ＣＳＩプロセスは、参照信号測定リソースと干渉測定リソースの他に、ビームに関する設定も関連付けることができる。一例として、ＣＳＩプロセス０には、０番目のビームリンクペアが関連付けられ、ＣＳＩプロセス１には、１番目のビームリンクペアが関連付けられる。また別の一例として、ＣＳＩプロセス０には、受信ビーム０が関連付けられ、ＣＳＩプロセス１には、受信ビーム１が関連付けられる。なお、オーバーヘッド削減のため、複数のＣＳＩプロセスで共通の情報は、それぞれフィードバックしなくてもよい。複数のＣＳＩプロセスで共通の情報は、例えば、ＲＩ（Rank  Indicator）などである。
【０２７６】
なお、この方向に関する情報はポジショニング（位置推定）にも使うことができる。また、上述の処理において、基地局装置１が実施する動作は例えば制御部１０３が実行しても良く、端末装置２が実施する動作は例えば制御部２０３が実行しても良い。
【０２７７】
＜＜３．応用例＞＞
本開示に係る技術は、様々な製品へ応用可能である。例えば、基地局装置１は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局装置１は、ＮｏｄｅＢ又はＢＴＳ（Base  Transceiver  Station）などの他の種類の基地局として実現されてもよい。基地局装置１は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局装置１として動作してもよい。
【０２７８】
また、例えば、端末装置２は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２は、Ｍ２Ｍ（Machine  To  Machine）通信を行う端末（ＭＴＣ（Machine  Type  Communication）端末ともいう）として実現されてもよい。さらに、端末装置２は、これら端末に搭載される無線通信モジュール（例えば、１つのダイで構成される集積回路モジュール）であってもよい。
【０２７９】
＜３．１．基地局装置に関する応用例＞
（第１の応用例）
図２４は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２８０】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２４に示したように複数のアンテナ８１０を有し、複数のアンテナ８１０は、例えばｅＮＢ８００が使用する複数の周波数帯域にそれぞれ対応してもよい。なお、図２４にはｅＮＢ８００が複数のアンテナ８１０を有する例を示したが、ｅＮＢ８００は単一のアンテナ８１０を有してもよい。
【０２８１】
基地局装置８２０は、コントローラ８２１、メモリ８２２、ネットワークインタフェース８２３及び無線通信インタフェース８２５を備える。
【０２８２】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２８３】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２８４】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２８５】
無線通信インタフェース８２５は、図２４に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２４に示したように複数のＲＦ回路８２７を含み、複数のＲＦ回路８２７は、例えば複数のアンテナ素子にそれぞれ対応してもよい。なお、図２４には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２８６】
図２４に示したｅＮＢ８００において、図８を参照して説明した上位層処理部１０１、制御部１０３、受信部１０５及び／又は送信部１０７は、無線通信インタフェース８２５（例えば、ＢＢプロセッサ８２６及び／又はＲＦ回路８２７）、コントローラ８２１及び／又はネットワークインタフェース８２３において実装されてもよい。例えば、無線通信インタフェース８２５、コントローラ８２１及び／又はネットワークインタフェース８２３は、第一の制御情報及び第二の制御情報を送信したり、制御情報要求を受信して対応する第三の制御情報を送信したりする。例えば、無線通信インタフェース８２５に含まれるプロセッサにおいて、これらの動作を行うための機能が実装されてもよい。このような動作を行う装置として、ｅＮＢ８００、基地局装置８２０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ１０９は、アンテナ８１０において実装されてもよい。
【０２８７】
（第２の応用例）
図２５は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２８８】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２５に示したように複数のアンテナ８４０を有し、複数のアンテナ８４０は、例えばｅＮＢ８３０が使用する複数の周波数帯域にそれぞれ対応してもよい。なお、図２５にはｅＮＢ８３０が複数のアンテナ８４０を有する例を示したが、ｅＮＢ８３０は単一のアンテナ８４０を有してもよい。
【０２８９】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２４を参照して説明したコントローラ８２１、メモリ８２２及びネットワークインタフェース８２３と同様のものである。
【０２９０】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２４を参照して説明したＢＢプロセッサ８２６と同様のものである。無線通信インタフェース８５５は、図２５に示したように複数のＢＢプロセッサ８５６を含み、複数のＢＢプロセッサ８５６は、例えばｅＮＢ８３０が使用する複数の周波数帯域にそれぞれ対応してもよい。なお、図２５には無線通信インタフェース８５５が複数のＢＢプロセッサ８５６を含む例を示したが、無線通信インタフェース８５５は単一のＢＢプロセッサ８５６を含んでもよい。
【０２９１】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２９２】
また、ＲＲＨ８６０は、接続インタフェース８６１及び無線通信インタフェース８６３を備える。
【０２９３】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２９４】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２５に示したように複数のＲＦ回路８６４を含み、複数のＲＦ回路８６４は、例えば複数のアンテナ素子にそれぞれ対応してもよい。なお、図２５には無線通信インタフェース８６３が複数のＲＦ回路８６４を含む例を示したが、無線通信インタフェース８６３は単一のＲＦ回路８６４を含んでもよい。
【０２９５】
図２５に示したｅＮＢ８３０において、図８を参照して説明した上位層処理部１０１、制御部１０３、受信部１０５及び／又は送信部１０７は、無線通信インタフェース８５５、無線通信インタフェース８６３（例えば、ＢＢプロセッサ８５６及び／又はＲＦ回路８６４）、コントローラ８５１及び／又はネットワークインタフェース８５３において実装されてもよい。例えば、無線通信インタフェース８５５、無線通信インタフェース８６３、コントローラ８５１及び／又はネットワークインタフェース８５３は、第一の制御情報及び第二の制御情報を送信したり、制御情報要求を受信して対応する第三の制御情報を送信したりする。例えば、無線通信インタフェース８５５及び／又は無線通信インタフェース８６３に含まれるプロセッサにおいて、これらの動作を行うための機能が実装されてもよい。このような動作を行う装置として、ｅＮＢ８３０、基地局装置８５０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ１０９は、アンテナ８４０において実装されてもよい。
【０２９６】
＜３．２．端末装置に関する応用例＞
（第１の応用例）
図２６は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２９７】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２９８】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２９９】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２６に示したように複数のＢＢプロセッサ９１３及び複数のＲＦ回路９１４を含んでもよい。なお、図２６には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３００】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３０１】
アンテナスイッチ９１５の各々は、無線通信インタフェース９１２に含まれる複数の回路（例えば、異なる無線通信方式のための回路）の間でアンテナ９１６の接続先を切り替える。
【０３０２】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２６に示したように複数のアンテナ９１６を有してもよい。なお、図２６にはスマートフォン９００が複数のアンテナ９１６を有する例を示したが、スマートフォン９００は単一のアンテナ９１６を有してもよい。
【０３０３】
さらに、スマートフォン９００は、無線通信方式ごとにアンテナ９１６を備えてもよい。その場合に、アンテナスイッチ９１５は、スマートフォン９００の構成から省略されてもよい。
【０３０４】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２６に示したスマートフォン９００の各ブロックへ電力を供給する。補助コントローラ９１９は、例えば、スリープモードにおいて、スマートフォン９００の必要最低限の機能を動作させる。
【０３０５】
図２６に示したスマートフォン９００において、図９を参照して説明した上位層処理部２０１、制御部２０３、受信部２０５及び／又は送信部２０７は、無線通信インタフェース９１２（例えば、ＲＦ回路９１４及び／又はＢＢプロセッサ９１３）、プロセッサ９０１、及び／又は補助コントローラ９１９において実装されてもよい。例えば、無線通信インタフェース９１２、プロセッサ９０１、及び／又は補助コントローラ９１９は、第一の制御情報及び第二の制御情報を受信したり、制御情報要求を送信して対応する第三の制御情報を受信したりする。例えば、無線通信インタフェース９１２に含まれるプロセッサにおいて、これらの動作を行うための機能が実装されてもよい。このような動作を行う装置として、スマートフォン９００又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ２０９は、アンテナ９１６において実装されてもよい。
【０３０６】
（第２の応用例）
図２７は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３０７】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３０８】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３０９】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３１０】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２７に示したように複数のＢＢプロセッサ９３４及び複数のＲＦ回路９３５を含んでもよい。なお、図２７には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３１１】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３１２】
アンテナスイッチ９３６の各々は、無線通信インタフェース９３３に含まれる複数の回路（例えば、異なる無線通信方式のための回路）の間でアンテナ９３７の接続先を切り替える。
【０３１３】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２７に示したように複数のアンテナ９３７を有してもよい。なお、図２７にはカーナビゲーション装置９２０が複数のアンテナ９３７を有する例を示したが、カーナビゲーション装置９２０は単一のアンテナ９３７を有してもよい。
【０３１４】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３１５】
バッテリー９３８は、図中に破線で部分的に示した給電ラインを介して、図２７に示したカーナビゲーション装置９２０の各ブロックへ電力を供給する。また、バッテリー９３８は、車両側から給電される電力を蓄積する。
【０３１６】
図２７に示したカーナビゲーション装置９２０において、図９を参照して説明した上位層処理部２０１、制御部２０３、受信部２０５及び／又は送信部２０７は、無線通信インタフェース９３３（例えば、ＲＦ回路９３５及び／又はＢＢプロセッサ９３４）及び／又はプロセッサ９２１において実装されてもよい。例えば、無線通信インタフェース９３３及び／又はプロセッサ９２１は、第一の制御情報及び第二の制御情報を受信したり、制御情報要求を送信して対応する第三の制御情報を受信したりする。例えば、無線通信インタフェース９３３に含まれるプロセッサにおいて、これらの動作を行うための機能が実装されてもよい。このような動作を行う装置として、カーナビゲーション装置９２０又は上記モジュールが提供されてもよく、プロセッサに上記動作を行わせるためのプログラムが提供されてもよい。また、上記プログラムを記録した読み取り可能な記録媒体が提供されてもよい。また、送受信アンテナ２０９は、アンテナ９３７において実装されてもよい。
【０３１７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０３１８】
＜＜４．まとめ＞＞
以上説明したように本開示の実施の形態によれば、方向に関する情報も測定することで、受信局が干渉を受けているのか、受けていないかを送信局が正確に判断することが可能な基地局装置１及び端末装置２を提供することができる。
【０３１９】
本明細書の各装置が実行する処理における各ステップは、必ずしもシーケンス図またはフローチャートとして記載された順序に沿って時系列に処理する必要はない。例えば、各装置が実行する処理における各ステップは、フローチャートとして記載した順序と異なる順序で処理されても、並列的に処理されてもよい。
【０３２０】
また、各装置に内蔵されるＣＰＵ、ＲＯＭおよびＲＡＭなどのハードウェアを、上述した各装置の構成と同等の機能を発揮させるためのコンピュータプログラムも作成可能である。また、該コンピュータプログラムを記憶させた記憶媒体も提供されることが可能である。また、機能ブロック図で示したそれぞれの機能ブロックをハードウェアで構成することで、一連の処理をハードウェアで実現することもできる。
【０３２１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０３２２】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０３２３】
なお、以下のような構成も本開示の技術的範囲に属する。
（１）
セルラー方式の通信処理を制御する通信制御部を備え、
前記通信制御部は、
基地局から設定された方向の情報に基づき複数の受信ビームを設定し、前記受信ビームごとに受信電力を測定し、該測定の結果を前記基地局に報告する、通信装置。
（２）
前記通信制御部は、前記基地局から設定された区間において前記受信電力の測定を行う、前記（１）に記載の通信装置。
（３）
前記通信制御部は、前記受信電力の測定の結果として、前記受信ビームごとのヒストグラムを報告する、前記（１）または（２）に記載の通信装置。
（４）
前記通信制御部は、前記受信ビームごとのヒストグラムとして、前記受信電力が所定の閾値を超えた回数のヒストグラムを報告する、前記（３）に記載の通信装置。
（５）
前記通信制御部は、周期的に前記受信電力の測定の結果を前記基地局に報告する、前記（１）〜（４）のいずれかに記載の通信装置。
（６）
前記通信制御部は、所定の条件を満たした場合に前記受信電力の測定の結果を前記基地局に報告する、前記（１）〜（４）のいずれかに記載の通信装置。
（７）
前記通信制御部は、前記基地局からの指示があった場合に前記受信電力の測定の結果を前記基地局に報告する、前記（１）〜（４）のいずれかに記載の通信装置。
（８）
前記通信制御部は、自装置のケイパビリティを前記受信電力の測定に先立ち前記基地局に報告する、前記（１）〜（７）のいずれかに記載の通信装置。
（９）
前記通信制御部は、前記自装置のケイパビリティとしてアンテナ本数、アンテナの形状、メインビームのローブ幅、ビームが振れる方向、構成可能な最大ビーム数、三次元方向へのビームの移動の可否の中の少なくともいずれかを報告する、前記（８）に記載の通信装置。
（１０）
セルラー方式の通信処理を制御する通信制御部を備え、
前記通信制御部は、
端末装置から取得したケイパビリティ情報に基づき前記端末装置に複数の受信ビームを設定し、前記受信ビームごとに前記端末装置で測定された受信電力の情報を取得する、通信装置。
（１１）
前記通信制御部は、取得した前記受信電力の情報に基づき、前記端末装置へのビームの方向を制御する、前記（１０）に記載の通信装置。
（１２）
前記通信制御部は、取得した前記受信電力の情報に基づき、前記端末装置へのビームの方向の情報を他の通信装置へ送信する、前記（１０）に記載の通信装置。
（１３）
前記通信制御部は、前記端末装置のケイパビリティとしてアンテナ本数、アンテナの形状、メインビームのローブ幅、ビームが振れる方向、構成可能な最大ビーム数、三次元方向へのビームの移動の可否の中の少なくともいずれかを取得する、前記（１０）に記載の通信装置。
（１４）
プロセッサが、セルラー方式の通信処理を制御することを含み、
前記プロセッサは、
基地局から設定された方向の情報に基づき複数の受信ビームを設定し、前記受信ビームごとに受信電力を測定し、該測定の結果を前記基地局に報告する、通信制御方法。
（１５）
プロセッサが、セルラー方式の通信処理を制御することを含み、
前記プロセッサは、
端末装置から取得したケイパビリティ情報に基づき前記端末装置に複数の受信ビームを設定し、前記受信ビームごとに前記端末装置で測定された受信電力の情報を取得する、通信制御方法。
（１６）
コンピュータに、セルラー方式の通信処理を制御することを実行させ、
基地局から設定された方向の情報に基づき複数の受信ビームを設定し、前記受信ビームごとに受信電力を測定し、該測定の結果を前記基地局に報告する、コンピュータプログラム。
（１７）
コンピュータに、セルラー方式の通信処理を制御することを実行させ、
端末装置から取得したケイパビリティ情報に基づき前記端末装置に複数の受信ビームを設定し、前記受信ビームごとに前記端末装置で測定された受信電力の情報を取得する、コンピュータプログラム。
【符号の説明】
【０３２４】
１    基地局装置
２    端末装置
【図１】
2019031190.tif 000003
【図２】
2019031190.tif 000004
【図３】
2019031190.tif 000005
【図４】
2019031190.tif 000006
【図５】
2019031190.tif 000007
【図６】
2019031190.tif 000008
【図７】
2019031190.tif 000009
【図８】
2019031190.tif 000010
【図９】
2019031190.tif 000011
【図１０】
2019031190.tif 000012
【図１１】
2019031190.tif 000013
【図１２】
2019031190.tif 000014
【図１３】
2019031190.tif 000015
【図１４】
2019031190.tif 000016
【図１５】
2019031190.tif 000017
【図１６】
2019031190.tif 000018
【図１７】
2019031190.tif 000019
【図１８】
2019031190.tif 000020
【図１９】
2019031190.tif 000021
【図２０】
2019031190.tif 000022
【図２１】
2019031190.tif 000023
【図２２】
2019031190.tif 000024
【図２３】
2019031190.tif 000025
【図２４】
2019031190.tif 000026
【図２５】
2019031190.tif 000027
【図２６】
2019031190.tif 000028
【図２７】
2019031190.tif 000029
【国際調査報告】
2019031190.tif 000030
2019031190.tif 000031